(57)【要約】      （修正有）【課題】ユーザ機器（ＵＥ）が複数の利用可能なセルのうちの１つまたは複数にわたってサービスされ得るワイヤレス通信ネットワークにおけるＵＥのためのワイヤレスサービスを構成するための技法を提供する。【解決手段】ＵＥのためのワイヤレスサービスは、セルの１次／２次セル指定、セルが認可無線周波数スペクトル帯域を使用して動作するか、もしくは無認可無線周波数スペクトル帯域を使用して動作するか、セルに関連付けられた無線アクセス技術および／またはセルの動作周波数帯域など、複数のセルの各々に関連付けられたパラメータに基づいて構成される。各セルについてのパラメータに基づいて、ＵＥにサービスするための１つまたは複数のセル構成が提供される。セル構成は、異なるセル上でどのくらいのトラフィックおよび／またはどのタイプのトラフィックが送られるかを制御するルールのセットを識別する。【選択図】図４
2019118145.tif 000002
【特許請求の範囲】
【請求項１】
ワイヤレス通信ネットワークにおけるアクセスノードでのワイヤレス通信のための方法であって、
第１のセットのパラメータに関連付けられた第１のセルを提供することと、
第２のセットのパラメータに関連付けられた第２のセルを提供することと、
前記アクセスノードによってサービスされるユーザ機器（ＵＥ）に関連付けられた少なくとも１つのベアラのための有効化手順の一部として、前記第１のセルおよび前記第２のセルにわたって前記ＵＥにサービスするための少なくとも１つのセル構成を、前記ＵＥに対して前記少なくとも１つのベアラがどのようにサービスされるかを決定するために使用する、または前記アクセスノードによってサービスされる前記ＵＥに関連付けられた前記少なくとも１つのベアラのための修正手順の一部として、前記第１のセルおよび前記第２のセルにわたって前記ＵＥにサービスするための前記少なくとも１つのセル構成を、前記ＵＥに対して前記少なくとも１つのベアラがどのようにサービスされるかを修正するために使用することと、ここにおいて、前記少なくとも１つのセル構成は、前記第１のセットのパラメータと前記第２のセットのパラメータとに少なくとも部分的に基づく、
前記少なくとも１つのベアラのサービス割振りを選択することと、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスすることと
を備える方法。
【請求項２】
前記ＵＥにデータトラフィックをサービスすることが、
前記第１のセルにわたって前記１つまたは複数のサービスデータフローの第１のサブセットをサービスすること、あるいは、
前記第２のセルにわたって前記１つまたは複数のサービスデータフローの第２のサブセットをサービスすること
を備える、請求項１に記載の方法。
【請求項３】
前記サービス割振りが、
前記第１のセルにわたってサービスされるべきトラフィック量の割合および前記第２のセルにわたってサービスされるべきトラフィック量の割合
をさらに備える、請求項１に記載の方法。
【請求項４】
前記アクセスノードと前記ＵＥとの間のデフォルトベアラ有効化手順に少なくとも部分的に基づいて、第１のネットワークノードから前記少なくとも１つのセル構成に関連付けられた情報を受信することをさらに備え、前記第１のネットワークノードは前記アクセスノードと通信する、請求項１に記載の方法。
【請求項５】
前記少なくとも１つのセル構成に関連付けられた情報を第２のネットワークノードから受信すること
をさらに備え、前記第２のネットワークノードは、前記アクセスノードおよび前記第１のネットワークノードと通信する、請求項４に記載の方法。
【請求項６】
ベアラセットアップ要求メッセージの一部として、前記第１のネットワークノードから前記少なくとも１つのセル構成に関連付けられた情報を受信すること
をさらに備える、請求項４に記載の方法。
【請求項７】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項１に記載の方法。
【請求項８】
前記ＵＥにサービスすることが、
前記第１のセルにわたって前記ＵＥにサービスするかどうかを決定することと、
前記第２のセルにわたって前記ＵＥにサービスするかどうかを決定することと、
を備える、請求項１に記載の方法。
【請求項９】
前記第１のセルまたは前記第２のセルにわたって前記ＵＥにサービスするかどうかを決定することが、
前記第１のセルおよび前記第２のセルの各々との接続を確立するよう前記ＵＥに命令すること、あるいは、
前記第１のセルまたは前記第２のセルへのアクセスが利用可能であるかどうかをＵＥに決定するよう前記ＵＥに命令すること
のうちの１つまたは複数を備える、請求項８に記載の方法。
【請求項１０】
前記サービス割振りは、
前記１つまたは複数のサービスデータフローと組み合わせて、および、前記選択することに少なくとも部分的に基づいて、前記第１のセルまたは前記第２のセルにわたってサービスされるべきトラフィック量の最大量
をさらに備える、請求項１に記載の方法。
【請求項１１】
前記サービス割振りは、
前記１つまたは複数のサービスデータフローと組み合わせて、および、前記選択することに少なくとも部分的に基づいて、前記第１のセルまたは前記第２のセルにわたってサービスされるべき最大ビットレート
をさらに備える、請求項１に記載の方法。
【請求項１２】
前記サービス割振りは、
前記１つまたは複数のサービスデータフローと組み合わせて、および、前記選択することに少なくとも部分的に基づいて、前記第１のセルまたは前記第２のセルにわたってサービスされるべき最小ビットレート
をさらに備える、請求項１に記載の方法。
【請求項１３】
前記サービス割振りは、
前記１つまたは複数のサービスデータフローと組み合わせて、および、前記選択することに少なくとも部分的に基づいて、前記第１のセルまたは前記第２のセルにわたってサービスされるべきアプリケーションタイプ
をさらに備える、請求項１に記載の方法。
【請求項１４】
前記サービス割振りは、
前記１つまたは複数のサービスデータフローと組み合わせて、および、前記選択することに少なくとも部分的に基づいて、前記第１のセルまたは前記第２のセルにわたってサービスされるべき１つまたは複数のベアラをさらに備え、ここにおいて、前記１つまたは複数のベアラは、少なくとも前記少なくとも１つのベアラを備える、
請求項１に記載の方法。
【請求項１５】
前記サービス割振りは、
前記１つまたは複数のサービスデータフローと組み合わせて、および、前記選択することに少なくとも部分的に基づいて、前記第１のセルまたは前記第２のセルによってサービスされるべきトラフィック量のサービス品質（ＱｏＳ）要件
をさらに備える、請求項１に記載の方法。
【請求項１６】
前記サービス割振りは、
前記１つまたは複数のサービスデータフローと組み合わせて、および、前記選択することに少なくとも部分的に基づいて、前記第１のセルまたは前記第２のセルに関連付けられた１つまたは複数の優先度付けルール
をさらに備える、請求項１に記載の方法。
【請求項１７】
前記アクセスノードと前記ＵＥとの間のデフォルトベアラ修正手順に少なくとも部分的に基づいて、第１のネットワークノードから前記少なくとも１つのセル構成に関連付けられた情報を受信すること
をさらに備え、前記第１のネットワークノードは前記アクセスノードと通信する、請求項１に記載の方法。
【請求項１８】
ベアラ修正要求メッセージの一部として、前記第１のネットワークノードから前記少なくとも１つのセル構成に関連付けられた情報を受信すること
をさらに備える、請求項１７に記載の方法。
【請求項１９】
前記アクセスノードと前記ＵＥとの間の専用ベアラ有効化手順に少なくとも部分的に基づいて、第１のネットワークノードから前記少なくとも１つのセル構成に関連付けられた情報を受信すること
をさらに備え、前記第１のネットワークノードは前記アクセスノードと通信する、請求項１に記載の方法。
【請求項２０】
ベアラセットアップ要求メッセージの一部として、前記第１のネットワークノードから前記少なくとも１つのセル構成に関連付けられた情報を受信すること
をさらに備える、請求項１９に記載の方法。
【請求項２１】
前記アクセスノードと前記ＵＥとの間の専用ベアラ修正手順に少なくとも部分的に基づいて、第１のネットワークノードから前記少なくとも１つのセル構成に関連付けられた情報を受信すること
をさらに備え、前記第１のネットワークノードは前記アクセスノードと通信する、請求項１に記載の方法。
【請求項２２】
ベアラ修正要求メッセージの一部として、前記第１のネットワークノードから前記少なくとも１つのセル構成に関連付けられた情報を受信すること
をさらに備える、請求項２１に記載の方法。
【請求項２３】
前記アクセスノードと前記ＵＥとの間のセル構成手順に少なくとも部分的に基づいて、第１のネットワークノードから前記少なくとも１つのセル構成に関連付けられた情報を受信すること
をさらに備え、前記第１のネットワークノードは前記アクセスノードと通信する、請求項１に記載の方法。
【請求項２４】
サービス要求手順を通して前記セル構成手順を確立することと、
初期コンテキストセットアップ要求メッセージの一部として、前記第１のネットワークノードから前記少なくとも１つのセル構成に関連付けられた情報を受信することと
をさらに備える、請求項２３に記載の方法。
【請求項２５】
前記アクセスノードと前記ＵＥとの間の接続確立手順に少なくとも部分的に基づいて、第１のネットワークノードから前記少なくとも１つのセル構成に関連付けられた情報を受信すること
をさらに備え、前記第１のネットワークノードは前記アクセスノードと通信する、請求項１に記載の方法。
【請求項２６】
前記第１のセルは、第１の無線アクセス技術（ＲＡＴ）を介して提供され、前記第２のセルは、前記第１のＲＡＴとは異なる第２のＲＡＴを介して提供される、請求項１に記載の方法。
【請求項２７】
前記第１のセルは、認可無線周波数スペクトル帯域を介して提供され、前記第２のセルは、無認可無線周波数スペクトル帯域を介して提供される、請求項１に記載の方法。
【請求項２８】
ワイヤレス通信ネットワークにおけるアクセスノードでのワイヤレス通信のための装置であって、
第１のセットのパラメータに関連付けられた第１のセルを提供するための手段と、
第２のセットのパラメータに関連付けられた第２のセルを提供するための手段と、
前記アクセスノードによってサービスされるユーザ機器（ＵＥ）に関連付けられた少なくとも１つのベアラのための有効化手順の一部として、前記第１のセルおよび前記第２のセルにわたって前記ＵＥにサービスするための少なくとも１つのセル構成を、前記ＵＥに対して前記少なくとも１つのベアラがどのようにサービスされるかを決定するために使用する、または前記アクセスノードによってサービスされる前記ＵＥに関連付けられた前記少なくとも１つのベアラのための修正手順の一部として、前記第１のセルおよび前記第２のセルにわたって前記ＵＥにサービスするための前記少なくとも１つのセル構成を、前記ＵＥに対して前記少なくとも１つのベアラがどのようにサービスされるかを修正するために使用するための手段と、ここにおいて、前記少なくとも１つのセル構成は、前記第１のセットのパラメータと前記第２のセットのパラメータとに少なくとも部分的に基づく、
前記少なくとも１つのベアラのサービス割振りを選択するための手段と、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスするための手段と
を備える装置。
【請求項２９】
前記ＵＥにデータトラフィックをサービスするための前記手段が、前記第１のセルにわたって前記１つまたは複数のサービスデータフローの第１のサブセットをサービスする、あるいは、前記第２のセルにわたって前記１つまたは複数のサービスデータフローの第２のサブセットをサービスする、請求項２８に記載の装置。
【請求項３０】
前記サービス割振りが、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、ここにおいて、前記１つまたは複数のベアラは、少なくとも前記少なくとも１つのベアラを備える、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数をさらに備える、請求項２８に記載の装置。
【請求項３１】
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信するための手段をさらに備え、前記第１のネットワークノードは前記アクセスノードと通信する、請求項２８に記載の装置。
【請求項３２】
前記少なくとも１つのセル構成に関連付けられた情報を第２のネットワークノードから受信するための手段
をさらに備え、前記第２のネットワークノードは、前記アクセスノードおよび前記第１のネットワークノードと通信する、請求項３１に記載の装置。
【請求項３３】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項２８に記載の装置。
【請求項３４】
前記ＵＥにサービスするための前記手段は、
前記第１のセルにわたって前記ＵＥにサービスするかどうかを決定し、前記第２のセルにわたって前記ＵＥにサービスするかどうかを決定する、請求項２８に記載の装置。
【請求項３５】
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信するための手段
をさらに備え、前記第１のネットワークノードは前記アクセスノードと通信する、請求項２８に記載の装置。
【請求項３６】
前記アクセスノードと前記ＵＥとの間の専用ベアラ有効化または専用ベアラ修正手順に少なくとも部分的に基づいて、第１のネットワークノードから前記少なくとも１つのセル構成に関連付けられた情報を受信するための手段
をさらに備え、前記第１のネットワークノードは前記アクセスノードと通信する、請求項２８に記載の装置。
【請求項３７】
前記アクセスノードと前記ＵＥとの間のセル構成手順に少なくとも部分的に基づいて、第１のネットワークノードから前記少なくとも１つのセル構成に関連付けられた情報を受信するための手段
をさらに備え、前記第１のネットワークノードは前記アクセスノードと通信する、請求項２８に記載の装置。
【請求項３８】
前記アクセスノードと前記ＵＥとの間の接続確立手順に少なくとも部分的に基づいて、第１のネットワークノードから前記少なくとも１つのセル構成に関連付けられた情報を受信するための手段
をさらに備え、前記第１のネットワークノードは前記アクセスノードと通信する、請求項２８に記載の装置。
【請求項３９】
前記第１のセルは、第１の無線アクセス技術（ＲＡＴ）を介して提供され、前記第２のセルは、前記第１のＲＡＴとは異なる第２のＲＡＴを介して提供される、請求項２８に記載の装置。
【請求項４０】
前記第１のセルは、認可無線周波数スペクトル帯域を介して提供され、前記第２のセルは、無認可無線周波数スペクトル帯域を介して提供される、請求項２８に記載の装置。
【請求項４１】
ワイヤレス通信ネットワークにおけるアクセスノードでのワイヤレス通信のための装置であって、
プロセッサと、
前記プロセッサと電子通信しているメモリと、
前記メモリに記憶された命令とを備え、前記命令が、前記装置に、
第１のセットのパラメータに関連付けられた第１のセルを提供させ、
第２のセットのパラメータに関連付けられた第２のセルを提供させ、
前記アクセスノードによってサービスされるユーザ機器（ＵＥ）に関連付けられた少なくとも１つのベアラのための有効化手順の一部として、前記第１のセルおよび前記第２のセルにわたって前記ＵＥにサービスするための少なくとも１つのセル構成を、前記ＵＥに対して前記少なくとも１つのベアラがどのようにサービスされるかを決定するために使用させ、または前記アクセスノードによってサービスされる前記ＵＥに関連付けられた前記少なくとも１つのベアラのための修正手順の一部として、前記第１のセルおよび前記第２のセルにわたって前記ＵＥにサービスするための前記少なくとも１つのセル構成を、前記ＵＥに対して前記少なくとも１つのベアラがどのようにサービスされるかを修正するために使用させ、ここにおいて、前記少なくとも１つのセル構成は、前記第１のセットのパラメータと前記第２のセットのパラメータとに少なくとも部分的に基づく、
前記少なくとも１つのベアラのサービス割振りを選択させ、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスさせる
ように前記プロセッサによって実行可能である、装置。
【請求項４２】
前記命令が、前記装置に、前記第１のセルにわたって１つまたは複数のサービスデータフローの第１のセットをサービスさせる、または、前記第２のセルにわたって１つまたは複数のサービスデータフローの第２のセットをサービスさせるように前記プロセッサによってさらに実行可能である、請求項４１に記載の装置。
【請求項４３】
前記サービス割振りが、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、ここにおいて、前記１つまたは複数のベアラは、少なくとも前記少なくとも１つのベアラを備える、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数をさらに備える、請求項４１に記載の装置。
【請求項４４】
前記命令が、前記装置に、前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信させるように前記プロセッサによってさらに実行可能であり、前記第１のネットワークノードは前記アクセスノードと通信する、請求項４１に記載の装置。
【請求項４５】
前記命令が、前記装置に、前記少なくとも１つのセル構成に関連付けられた情報を第２のネットワークノードから受信させるように前記プロセッサによってさらに実行可能であり、前記第２のネットワークノードは、前記アクセスノードおよび前記第１のネットワークノードと通信する、請求項４４に記載の装置。
【請求項４６】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項４１に記載の装置。
【請求項４７】
前記命令が、前記装置に、前記第１のセルにわたって前記ＵＥにサービスするかどうかを決定させ、前記第２のセルにわたって前記ＵＥにサービスするかどうかを決定させるように前記プロセッサによってさらに実行可能である、請求項４１に記載の装置。
【請求項４８】
前記命令が、前記装置に、
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信させる
ように前記プロセッサによってさらに実行可能であり、前記第１のネットワークノードは前記アクセスノードと通信する、請求項４１に記載の装置。
【請求項４９】
前記命令が、前記装置に、
前記アクセスノードと前記ＵＥとの間の専用ベアラ有効化または専用ベアラ修正手順に少なくとも部分的に基づいて、第１のネットワークノードから前記少なくとも１つのセル構成に関連付けられた情報を受信させる
ように前記プロセッサによってさらに実行可能であり、前記第１のネットワークノードは前記アクセスノードと通信する、請求項４１に記載の装置。
【請求項５０】
前記命令が、前記装置に、
前記アクセスノードと前記ＵＥとの間のセル構成手順に少なくとも部分的に基づいて、第１のネットワークノードから前記少なくとも１つのセル構成に関連付けられた情報を受信させる
ように前記プロセッサによってさらに実行可能であり、前記第１のネットワークノードは前記アクセスノードと通信する、請求項４１に記載の装置。
【請求項５１】
前記命令が、前記装置に、
前記アクセスノードと前記ＵＥとの間の接続確立手順に少なくとも部分的に基づいて、第１のネットワークノードから前記少なくとも１つのセル構成に関連付けられた情報を受信させる
ように前記プロセッサによってさらに実行可能であり、前記第１のネットワークノードは前記アクセスノードと通信する、請求項４１に記載の装置。
【請求項５２】
前記第１のセルは、第１の無線アクセス技術（ＲＡＴ）を介して提供され、前記第２のセルは、前記第１のＲＡＴとは異なる第２のＲＡＴを介して提供される、請求項４１に記載の装置。
【請求項５３】
前記第１のセルは、認可無線周波数スペクトル帯域を介して提供され、前記第２のセルは、無認可無線周波数スペクトル帯域を介して提供される、請求項４１に記載の装置。
【請求項５４】
ワイヤレス通信ネットワークにおけるアクセスノードでのワイヤレス通信のためのコンピュータ実行可能コードを記憶するコンピュータ可読記憶媒体であって、前記コードが、
第１のセットのパラメータに関連付けられた第１のセルを提供し、
第２のセットのパラメータに関連付けられた第２のセルを提供し、
前記アクセスノードによってサービスされるユーザ機器（ＵＥ）に関連付けられた少なくとも１つのベアラのための有効化手順の一部として、前記第１のセルおよび前記第２のセルにわたって前記ＵＥにサービスするための少なくとも１つのセル構成を、前記ＵＥに対して前記少なくとも１つのベアラがどのようにサービスされるかを決定するために使用する、または前記アクセスノードによってサービスされる前記ＵＥに関連付けられた前記少なくとも１つのベアラのための修正手順の一部として、前記第１のセルおよび前記第２のセルにわたって前記ＵＥにサービスするための前記少なくとも１つのセル構成を、前記ＵＥに対して前記少なくとも１つのベアラがどのようにサービスされるかを修正するために使用し、ここにおいて、前記少なくとも１つのセル構成は、前記第１のセットのパラメータと前記第２のセットのパラメータとに少なくとも部分的に基づく、
前記少なくとも１つのベアラのサービス割振りを選択し、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスする
ようにプロセッサによって実行可能である、コンピュータ可読記憶媒体。
【請求項５５】
前記コードが、前記第１のセルにわたって前記１つまたは複数のサービスデータフローの第１のサブセットをサービスする、あるいは、前記第２のセルにわたって前記１つまたは複数のサービスデータフローの第２のサブセットをサービスするように前記プロセッサによってさらに実行可能である、請求項５４に記載のコンピュータ可読記憶媒体。
【請求項５６】
前記サービス割振りが、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、ここにおいて、前記１つまたは複数のベアラは、少なくとも前記少なくとも１つのベアラを備える、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数をさらに備える、請求項５４に記載のコンピュータ可読記憶媒体。
【請求項５７】
前記コードが、前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信するように前記プロセッサによってさらに実行可能であり、前記第１のネットワークノードは前記アクセスノードと通信する、請求項５４に記載のコンピュータ可読記憶媒体。
【請求項５８】
前記コードが、前記少なくとも１つのセル構成に関連付けられた情報を第２のネットワークノードから受信するように前記プロセッサによってさらに実行可能であり、前記第２のネットワークノードは、前記アクセスノードおよび前記第１のネットワークノードと通信する、請求項５７に記載のコンピュータ可読記憶媒体。
【請求項５９】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項５４に記載のコンピュータ可読記憶媒体。
【請求項６０】
前記コードが、前記第１のセルにわたって前記ＵＥにサービスするかどうかを決定し、前記第２のセルにわたって前記ＵＥにサービスするかどうかを決定するように前記プロセッサによってさらに実行可能である、請求項５４に記載のコンピュータ可読記憶媒体。
【請求項６１】
前記コードが、
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信する
ように前記プロセッサによってさらに実行可能であり、前記第１のネットワークノードは前記アクセスノードと通信する、請求項５４に記載のコンピュータ可読記憶媒体。
【請求項６２】
前記コードが、
前記アクセスノードと前記ＵＥとの間の専用ベアラ有効化または専用修正手順に少なくとも部分的に基づいて、第１のネットワークノードから前記少なくとも１つのセル構成に関連付けられた情報を受信する
ように前記プロセッサによってさらに実行可能であり、前記第１のネットワークノードは前記アクセスノードと通信する、請求項５４に記載のコンピュータ可読記憶媒体。
【請求項６３】
前記コードが、
前記アクセスノードと前記ＵＥとの間のセル構成手順に少なくとも部分的に基づいて、第１のネットワークノードから前記少なくとも１つのセル構成に関連付けられた情報を受信する
ように前記プロセッサによってさらに実行可能であり、前記第１のネットワークノードは前記アクセスノードと通信する、請求項５４に記載のコンピュータ可読記憶媒体。
【請求項６４】
前記コードが、
前記アクセスノードと前記ＵＥとの間の接続確立手順に少なくとも部分的に基づいて、第１のネットワークノードから前記少なくとも１つのセル構成に関連付けられた情報を受信する
ように前記プロセッサによってさらに実行可能であり、前記第１のネットワークノードは前記アクセスノードと通信する、請求項５４に記載のコンピュータ可読記憶媒体。
【発明の詳細な説明】
【技術分野】
【０００１】
相互参照
[0001]本特許出願は、各々が本出願の譲受人に譲渡された、２０１４年９月２２日に出願された「Ｔｅｃｈｎｉｑｕｅｓ  ｆｏｒ  Ｐｒｏｖｉｓｉｏｎｉｎｇ  Ｃｏｎｆｉｇｕｒａｔｉｏｎ  Ｉｎｆｏｒｍａｔｉｏｎ  Ｂａｓｅｄ  ｏｎ  Ｃｅｌｌ  Ｃｈａｒａｃｔｅｒｉｓｔｉｃｓ」と題する、Ｇｒｉｏｔらによる米国特許出願第１４／４９２，９６１号、および２０１３年１１月２２日に出願された「Ｔｅｃｈｎｉｑｕｅｓ  ｆｏｒ  Ｐｒｏｖｉｓｉｏｎｉｎｇ  Ｃｏｎｆｉｇｕｒａｔｉｏｎ  Ｉｎｆｏｒｍａｔｉｏｎ  Ｂａｓｅｄ  ｏｎ  Ｃｅｌｌ  Ｃｈａｒａｃｔｅｒｉｓｔｉｃｓ」と題する、Ｇｒｉｏｔらによる米国仮特許出願第６１／９０７，８９１号の優先権を主張する。
[0002]本開示は、たとえば、ワイヤレス通信に関し、より詳細には、ワイヤレス通信ネットワークにおいて複数のセルにわたってトラフィックをサービスするためのプロビジョニング構成情報（provisioning configuration information）を決定するための技法に関する。
【背景技術】
【０００２】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0004]ワイヤレス通信ネットワークはいくつかのアクセスポイントを含み得る。ワイヤレスワイドエリアネットワーク（ＷＷＡＮ）のアクセスポイントは、ノードＢ（ＮＢ）または発展型ノードＢ（ｅＮＢ）などのいくつかの基地局を含み得る。ワイヤレスローカルエリアネットワーク（ＷＬＡＮ）のアクセスポイントは、Ｗｉ−Ｆｉ（登録商標）ノードなどのいくつかのＷＬＡＮアクセスポイントを含み得る。各アクセスポイントは、いくつかのユーザ機器（ＵＥ）のための通信をサポートし得、しばしば、同時に複数のＵＥと通信し得る。同様に、各ＵＥは、いくつかのアクセスポイントと通信し得、時々、複数のアクセスポイントおよび／または異なるアクセス技術を採用するアクセスポイントと通信し得る。アクセスポイントは、ダウンリンクおよびアップリンクを介してＵＥと通信し得る。ダウンリンク（または順方向リンク）はアクセスポイントからＵＥへの通信リンクを指し、アップリンク（または逆方向リンク）はＵＥからアクセスポイントへの通信リンクを指す。
【０００４】
[0005]ＷＷＡＮがより頻繁に利用されるようになるにつれて、事業者は、容量を増加させる方法を求めている。１つの手法は、ＷＷＡＮのトラフィックおよび／またはシグナリングの一部をオフロード（offload）するためのＷＬＡＮの使用を含み得る。認可無線周波数スペクトル帯域中で動作するＷＷＡＮとは異なり、Ｗｉ−Ｆｉネットワークは無認可無線周波数スペクトル帯域中で動作し、したがって、スペクトルへの公平なアクセスを提供するための確立されたルールに従う様々なエンティティによって使用可能であり得るので、（Ｗｉ−Ｆｉネットワークなどの）ＷＬＡＮは魅力的な特徴を提供し得る。いくつかの展開では、様々な事業者は、ＵＥへの接続を確立する際に使用するために無認可無線周波数スペクトル帯域にアクセスすることを望み得る。場合によっては、ワイヤレス接続は認可無線周波数スペクトル帯域を使用して確立され得、第２のワイヤレス接続は無認可無線周波数スペクトル帯域を使用して確立され得る。認可無線周波数スペクトル帯域を使用するワイヤレス接続は第１のセルまたは１次セルを使用して確立され得、無認可無線周波数スペクトル帯域を使用する第２のワイヤレス接続は第２のセルまたは２次セルを使用して確立され得る。第１のセルおよび第２のセルはコロケートされる（collocated）こともあり、コロケートされないこともある。いくつかの事業者は、異なるセルにわたってトラフィックをサービスするための異なる構成を提供することを望み得る。
【発明の概要】
【０００５】
[0006]本開示は、たとえば、ワイヤレス通信のための１つまたは複数の改善されたシステム、方法、および／またはデバイスに関し、より詳細には、ユーザ機器（ＵＥ）が複数のセルのうちの１つまたは複数にわたってサービスされ得るワイヤレス通信ネットワークにおけるＵＥのためのワイヤレスサービスを構成することに関する。ＵＥのためのワイヤレスサービスは、たとえば、セルの１次セル指定もしくは２次セル指定、セルが認可無線周波数スペクトル帯域を使用して動作するか、無認可無線周波数スペクトル帯域を使用して動作するか、もしくは権限付与された共有無線周波数スペクトル帯域を使用して動作するか、セルに関連付けられた無線アクセス技術、および／またはセルの動作周波数帯域など、複数のセルの各々に関連付けられたパラメータに基づいて構成され得る。各セルについてのパラメータに基づいて、ＵＥにサービスするための１つまたは複数のセル構成が決定され得る。セル構成は、たとえば、ある一定のパラメータを有する１次セルおよび１つまたは複数の異なるパラメータを有する２次セルなどの異なるセル上でどのくらいのトラフィックおよび／またはどのタイプのトラフィックがサービスされるかを制御するルールのセットを識別し得る。
【０００６】
[0007]第１のセットの例示的な例によれば、ワイヤレス通信ネットワークにおけるユーザ機器（ＵＥ）のためのワイヤレスサービスを構成するための方法は、第１のセルに関連付けられた第１のセットのパラメータを識別することと、第２のセルに関連付けられた第２のセットのパラメータを識別することと、第１のセットのパラメータおよび第２のセットのパラメータのうちの少なくとも１つに基づいて、ＵＥにサービスするための第１のセルおよび第２のセルのうちの少なくとも１つの１つまたは複数のセル構成を提供することとを含み得る。
【０００７】
[0008]いくつかの例では、第１のセットのパラメータおよび第２のセットのパラメータの各々は、以下のセル特性、すなわち、セルの１次セル指定もしくは２次セル指定、セルに関連付けられた認可無線周波数スペクトル帯域もしくは無認可無線周波数スペクトル帯域、セルに関連付けられた無線アクセス技術、またはセルの動作周波数帯域のうちの１つまたは複数を含み得る。いくつかの例では、１つまたは複数のセル構成は、第１のセルおよび第２のセルのうちのどちらがＵＥにサービスすることを許可されるかを識別し得る。１つまたは複数のセル構成は、たとえば、第１のセルにわたってサービスされるべきトラフィック量の割合および第２のセルにわたってサービスされるべきトラフィック量の割合、第１のセルまたは第２のセルにわたってサービスされるべきトラフィック量の最大量、第１のセルまたは第２のセルにわたってサービスされるべき最大ビットレート、第１のセルまたは第２のセルにわたってサービスされるべき最小ビットレート、第１のセルまたは第２のセルにわたってサービスされるべきアプリケーションタイプ、第１のセルまたは第２のセルにわたってサービスされるべき１つまたは複数のベアラ、第１のセルまたは第２のセルにわたってサービスされるべき１つまたは複数のサービスデータフロー、第１のセルまたは第２のセルに関連付けられた１つまたは複数の優先度付けルール、第１のセルまたは第２のセルによってサービスされるべきトラフィック量のサービス品質（ＱｏＳ）要件、あるいは第１のセルまたは第２のセルが利用可能なエアインターフェースリソースの量のうちの１つまたは複数を識別し得る。
【０００８】
[0009]いくつかの例では、第１のセットのパラメータおよび第２のセットのパラメータは、ポリシーおよび課金ルール機能（ＰＣＲＦ：policy and charging rules function）、またはＵＥに関連付けられたサブスクリプション情報に少なくとも部分的に基づいて識別され得る。いくつかの例では、１つまたは複数のセル構成を提供することは、１つまたは複数のセル構成をアクセスノードに送信することを含み得る。そのような送信することは、たとえば、アクセスノードとＵＥとの間の接続確立手順、アクセスノードとＵＥとの間のデフォルトベアラ有効化手順、アクセスノードとＵＥとの間の専用ベアラ有効化手順、またはアクセスノードとＵＥとの間のパケットデータプロトコル（ＰＤＰ）コンテキスト有効化手順のうちの１つまたは複数の間に行われ得る。１つまたは複数のセル構成は、いくつかの例では、制御プレーンシグナリングを介してアクセスノードに提供され得る。１つまたは複数のセル構成は、いくつかの例では、ＵＥに、ＵＥのベアラに、サービスデータフロー（ＳＤＦ）に、ＵＥのクラスに、あるいは第１のセルまたは第２のセルのうちの１つまたは複数を使用してサービスされるべきすべてのＵＥに提供され得る。
【０００９】
[0010]第２のセットの例示的な例によれば、ワイヤレス通信ネットワークにおけるアクセスノードでのワイヤレス通信のための方法は、アクセスノードの第１のセルと第２のセルとを使用してユーザ機器（ＵＥ）にサービスするための１つまたは複数のセル構成を決定することと、ここにおいて、１つまたは複数のセル構成は、第１のセルに関連付けられた第１のセットのパラメータと第２のセルに関連付けられた第２のセットのパラメータとに少なくとも部分的に基づく、決定された１つまたは複数のセル構成に少なくとも部分的に基づいてＵＥにサービスすることとを含み得る。
【００１０】
[0011]いくつかの例では、ＵＥにサービスすることは、第１のセルにわたってトラフィックストリームの第１の部分をサービスすることと、第２のセルにわたってトラフィックストリームの第２の部分をサービスすることとを含み得る。いくつかの例では、ＵＥにサービスすることは、第１のセルにわたってＵＥにサービスするかどうかを決定することと、第２のセルにわたってＵＥにサービスするかどうかを決定することとを含み得る。そのような決定することは、たとえば、第１のセルおよび第２のセルの各々との接続を確立するようＵＥに命令すること、あるいは第１のセルまたは第２のセルへのアクセスが利用可能であるかどうかを決定するようＵＥに命令することのうちの１つまたは複数を含み得る。１つまたは複数のセル構成は、たとえば、第１のセルにわたってサービスされるべきトラフィック量の割合および第２のセルにわたってサービスされるべきトラフィック量の割合、第１のセルまたは第２のセルにわたってサービスされるべきトラフィック量の最大量、第１のセルまたは第２のセルにわたってサービスされるべき最大ビットレート、第１のセルまたは第２のセルにわたってサービスされるべき最小ビットレート、第１のセルまたは第２のセルにわたってサービスされるべきアプリケーションタイプ、第１のセルまたは第２のセルにわたってサービスされるべき１つまたは複数のベアラ、第１のセルまたは第２のセルにわたってサービスされるべき１つまたは複数のサービスデータフロー、第１のセルまたは第２のセルに関連付けられた１つまたは複数の優先度付けルール、第１のセルまたは第２のセルによってサービスされるべきトラフィック量のサービス品質（ＱｏＳ）要件、あるいは第１のセルまたは第２のセルが利用可能なエアインターフェースリソースの量のうちの１つまたは複数を含み得る。
【００１１】
[0012]いくつかの例では、方法は、アクセスノードとＵＥとの間の接続確立手順、アクセスノードとＵＥとの間のデフォルトベアラ有効化手順、アクセスノードとＵＥとの間の専用ベアラ有効化手順、またはアクセスノードとＵＥとの間のパケットデータプロトコル（ＰＤＰ）コンテキスト有効化手順のうちの１つまたは複数の間に第１のネットワークノードから受信され得る、１つまたは複数のセル構成を受信することも含み得る。いくつかの例では、１つまたは複数のセル構成は、第２のネットワークノードから受信され得る。いくつかの例によれば、１つまたは複数のセル構成は、ＵＥに、ＵＥのベアラに、サービスデータフロー（ＳＤＦ）に、ＵＥのクラスに、あるいは第１のセルまたは第２のセルのうちの１つまたは複数を使用してサービスされるべきすべてのＵＥに提供され得る。
【００１２】
[0013]第３のセットの例示的な例によれば、ワイヤレス通信ネットワークにおけるユーザ機器（ＵＥ）のためのワイヤレスサービスを構成するための装置は、第１のセルに関連付けられた第１のセットのパラメータを識別するための手段と、第２のセルに関連付けられた第２のセットのパラメータを決定するための手段と、第１のセットのパラメータおよび第２のセットのパラメータのうちの少なくとも１つに基づいて、ＵＥにサービスするための第１のセルおよび第２のセルのうちの少なくとも１つの１つまたは複数のセル構成を提供するための手段とを含み得る。
【００１３】
[0014]いくつかの例では、装置は、上記で説明した第１のセットの例示的な例の１つまたは複数の態様を実装するための手段を含み得る。
【００１４】
[0015]第４のセットの例示的な例によれば、ワイヤレス通信ネットワークにおけるアクセスノードでのワイヤレス通信のための装置は、アクセスノードの第１のセルと第２のセルとを使用してユーザ機器（ＵＥ）にサービスするための１つまたは複数のセル構成を決定するための手段と、ここにおいて、１つまたは複数のセル構成は、第１のセルに関連付けられた第１のセットのパラメータと第２のセルに関連付けられた第２のセットのパラメータとに少なくとも部分的に基づく、決定された１つまたは複数のセル構成に少なくとも部分的に基づいてＵＥにサービスするための手段とを含み得る。
【００１５】
[0016]いくつかの例では、装置は、上記で説明した第２のセットの例示的な例の１つまたは複数の態様を実装するための手段を含み得る。
【００１６】
[0017]第５のセットの例示的な例によれば、ワイヤレス通信ネットワークにおけるユーザ機器（ＵＥ）のためのワイヤレスサービスを構成するための装置は、プロセッサと、プロセッサと電子通信しているメモリと、メモリに記憶された命令とを含み得、命令は、装置に、第１のセルに関連付けられた第１のセットのパラメータを識別させ、第２のセルに関連付けられた第２のセットのパラメータを識別させ、第１のセットのパラメータおよび第２のセットのパラメータのうちの少なくとも１つに基づいて、ＵＥにサービスするための第１のセルおよび第２のセルのうちの少なくとも１つの１つまたは複数のセル構成を提供させるようにプロセッサによって実行可能である。
【００１７】
[0018]いくつかの例では、プロセッサは、上記で説明した第１のセットの例示的な例の１つまたは複数の態様を実装するための、メモリ上に記憶された命令を実行するように構成され得る。
【００１８】
[0019]第６のセットの例示的な例によれば、ワイヤレス通信ネットワークにおけるアクセスノードでのワイヤレス通信のための装置は、プロセッサと、プロセッサと電子通信しているメモリと、メモリに記憶された命令とを含み得、命令は、装置に、アクセスノードの第１のセルと第２のセルとを使用してユーザ機器（ＵＥ）にサービスするための１つまたは複数のセル構成を決定させ、ここにおいて、１つまたは複数のセル構成は、第１のセルに関連付けられた第１のセットのパラメータと第２のセルに関連付けられた第２のセットのパラメータとに少なくとも部分的に基づく、決定された１つまたは複数のセル構成に少なくとも部分的に基づいてＵＥにサービスさせるようにプロセッサによって実行可能である。
【００１９】
[0020]いくつかの例では、プロセッサは、上記で説明した第２のセットの例示的な例の１つまたは複数の態様を実装するための、メモリ上に記憶された命令を実行するように構成され得る。
【００２０】
[0021]第７のセットの例示的な例によれば、ワイヤレス通信ネットワークにおけるユーザ機器（ＵＥ）のためのワイヤレスサービスを構成するためのコンピュータプログラム製品は、コンピュータ実行可能コードを記憶する非一時的コンピュータ可読媒体を含み得、コードは、第１のセルに関連付けられた第１のセットのパラメータを識別し、第２のセルに関連付けられた第２のセットのパラメータを識別し、第１のセットのパラメータおよび第２のセットのパラメータのうちの少なくとも１つに基づいて、ＵＥにサービスするための第１のセルおよび第２のセルのうちの少なくとも１つの１つまたは複数のセル構成を提供するようにプロセッサによって実行可能である。
【００２１】
[0022]いくつかの例では、コードは、上記で説明した第１のセットの例示的な例の１つまたは複数の態様を実装するように構成され得る。
【００２２】
[0023]第８のセットの例示的な例によれば、ワイヤレス通信ネットワークにおけるアクセスノードでのワイヤレス通信のためのコンピュータプログラム製品は、コンピュータ実行可能コードを記憶する非一時的コンピュータ可読媒体を含み得、コードは、アクセスノードの第１のセルと第２のセルとを使用してユーザ機器（ＵＥ）にサービスするための１つまたは複数のセル構成を決定し、ここにおいて、１つまたは複数のセル構成は、第１のセルに関連付けられた第１のセットのパラメータと第２のセルに関連付けられた第２のセットのパラメータとに少なくとも部分的に基づく、決定された１つまたは複数のセル構成に少なくとも部分的に基づいてＵＥにサービスするようにプロセッサによって実行可能である。
【００２３】
[0024]いくつかの例では、コードは、ワイヤレス通信装置に、上記で説明した第２のセットの例示的な例の１つまたは複数の態様を実装させるように構成され得る。
【００２４】
[0025]説明する方法および装置の適用可能性のさらなる範囲は、以下の発明を実施するための形態、特許請求の範囲、および図面から明らかになろう。発明を実施するための形態の趣旨および範囲内の様々な変更および修正が当業者に明らかになるので、発明を実施するための形態および特定の例は例示として与えられるものにすぎない。
【００２５】
[0026]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。本明細書において第１の参照ラベルのみが使用される場合、説明は、第２の参照ラベルにかかわらず、同じ第１の参照ラベルを有する同様の構成要素のうちの任意の１つに適用可能である。
【図面の簡単な説明】
【００２６】
【図１】[0027]本開示の態様による、ワイヤレス通信システムの一例を概念的に示すブロック図。
【図２】[0028]本開示の様々な態様による、１つまたは複数のセルにわたって１つまたは複数のＵＥにサービスするためのセル構成を決定し得る競合ベース無線周波数スペクトル帯域／ＷＬＡＮネットワークアーキテクチャにおけるＬＴＥ／ＬＴＥ−Ａ／ＬＴＥを示す図。
【図３】[0029]本開示の態様による、無認可無線周波数スペクトル帯域におけるＬＴＥを使用するための展開シナリオの例を概念的に示すブロック図。
【図４】[0030]本開示の様々な態様による、１つまたは複数のＵＥに対するセル構成およびトラフィックのサービスの方法の一例を概念的に示すフローチャート。
【図５】[0031]本開示の態様による、デフォルトＥＰＳベアラ有効化の間のセル構成のための例示的な動作を示す流れ図。
【図６】[0032]本開示の態様による、専用ＥＰＳベアラ有効化の間のセル構成のための例示的な動作を示す別の流れ図。
【図７】[0033]本開示の態様による、ＥＰＳベアラ修正の間のセル構成のための例示的な動作を示す別の流れ図。
【図８】[0034]本開示の態様による、ＭＭＥでのセル構成のための例示的な動作を示す流れ図。
【図９Ａ】[0035]本開示の態様による、セル構成決定において使用するための、ｅＮＢまたはコアネットワーク要素などのデバイスを概念的に示すブロック図。
【図９Ｂ】本開示の態様による、セル構成決定において使用するための、ｅＮＢまたはコアネットワーク要素などのデバイスを概念的に示すブロック図。
【図１０】[0036]本開示の態様による、基地局の設計を概念的に示すブロック図。
【図１１】[0037]本開示の態様による、コアネットワークにおけるノードの設計を概念的に示すブロック図。
【図１２】[0038]本開示の態様による、ワイヤレス通信の方法の一例を概念的に示すフローチャート。
【図１３】[0039]本開示の態様による、ワイヤレス通信の方法の一例を概念的に示すフローチャート。
【発明を実施するための形態】
【００２７】
[0040]ユーザ機器（ＵＥ）との通信において異なるセルが使用され得る技法について説明する。たとえば、認可、無認可および権限付与された共有アクセス（ＡＳＡ：authorized shared access）無線周波数スペクトル帯域は、ＵＥとのＷＷＡＮ通信（たとえば、ロングタームエボリューション（ＬＴＥ（登録商標））通信）に使用され得る。無認可無線周波数スペクトル帯域にわたるＬＴＥ通信は、本明細書では無認可無線周波数スペクトル帯域における拡張ＬＴＥ通信と呼ばれることがある。認可無線周波数スペクトル帯域にわたるＬＴＥ通信は、本明細書ではＬＴＥ通信と呼ばれることがある。権限付与された共有アクセス（ＡＳＡ）無線周波数スペクトル帯域にわたるＬＴＥ通信は、本明細書ではＬＴＥ権限付与された共有アクセス（ＬＴＥ−ＡＳＡ）通信と呼ばれることがある。
【００２８】
[0041]ＷＷＡＮにおけるデータトラフィックの増加に伴い、少なくとも一部のデータトラフィックを無認可無線周波数スペクトル帯域にオフロードすることにより、拡張されたデータ伝送容量の機会がＷＷＡＮ事業者に提供され得る。本開示の様々な態様によれば、事業者によってネットワークアクセスを提供されるＵＥは、認可、無認可または権限付与された共有無線周波数スペクトル帯域を使用して動作し得る１つまたは複数のセルによってサービスされ得る。異なるセルまたは異なるＲＡＴによってサービスされるトラフィックは、事業者によって別様に課金され得る。たとえば、無認可無線周波数スペクトル帯域にわたってサービスされるトラフィックは、認可無線周波数スペクトル帯域にわたってサービスされるトラフィックよりも低い料率で課金され得る。別の例では、権限付与された共有アクセス無線周波数スペクトル帯域にわたってサービスされるトラフィックは、認可無線周波数スペクトル帯域にわたってサービスされるトラフィックよりも低い料率で課金され得る。開示した態様によれば、１つまたは複数のＵＥにサービスするための異なるセルの構成は、異なるセルまたはＲＡＴに関連付けられたパラメータと、１つまたは複数のＵＥにサービスするためのルールのセットとに従って決定され得る。たとえば、１つまたは複数のネットワークノードは、１つまたは複数の異なるパラメータを有する第２（たとえば、２次セル）と比較すると、１つまたは複数のパラメータを有する第１（たとえば、１次セル）を使用して、どのくらいのトラフィックがサービスされるかを制御し得るルールのセットを決定し得る。別の例では、１つまたは複数のアクセスノードは、異なる特性を有する第２（たとえば、２次セル）と比較すると、ある一定の特性を有する第１（たとえば、１次セル）を使用して、どのくらいのトラフィックがサービスされるかを制御するルールのセットで構成され得る。
【００２９】
[0042]たとえば、ルールのセットは、１次セルと２次セルの両方がＵＥにサービスするのに利用可能であるとき、どのくらいのトラフィックが認可無線周波数スペクトル帯域上の第１のセル（たとえば、１次セル）および／または無認可もしくは権限付与された共有無線周波数スペクトル帯域にわたる第２のセル（たとえば、２次セル）にわたってサービスされるかを決定するために使用され得る。追加または代替として、ルールのセットは、どのくらいのトラフィックが第１のＲＡＴを使用する第１のセル（たとえば、１次セル）および／または第２のＲＡＴを使用する第２のセル（たとえば、２次セル）にわたってサービスされるかを決定するために使用され得る。利用可能な無線周波数スペクトル帯域と利用可能なＲＡＴとに基づいて、異なるセルパラメータを有し得る第１のセルと第２のセルとを使用して、ＵＥとの１つまたは複数のワイヤレス接続が確立され得る。たとえば、第１のセルは認可無線周波数スペクトル帯域を使用して動作し得、第２のセルは無認可または権限付与された共有無線周波数スペクトル帯域を使用して動作し得る。別の例では、第１のセルはＷＷＡＮ（たとえば、ＬＴＥ）  ＲＡＴを使用して動作し得、第２のセルはＷＬＡＮ（たとえば、Ｗｉ−Ｆｉ）  ＲＡＴを使用して動作し得る。第１のセルおよび第２のセルのセルパラメータは、限定はしないが、多数の、１次／２次セルもしくはセルの１次／２次セット、異なるセルが動作する周波数帯域、認可／無認可無線周波数スペクトル帯域を使用して動作するセル、認可／権限付与された共有無線周波数スペクトル帯域を使用して動作するセル、またはセルによって使用されるＲＡＴ（たとえば、Ｅ−ＵＴＲＡＮ、競合ベース無線周波数スペクトル帯域におけるＬＴＥ、ＷＬＡＮ、ＧＥＲＡＮ、ＵＴＲＡＮなど）のうちの１つまたは組合せであり得る。１つまたは複数の異なるセルは、ｅノードＢなどの同じアクセスノードに関連付けられるか、またはｅノードＢおよびアクセスポイント（ＡＰ）などの異なるアクセスノードに関連付けられ得る。
【００３０】
[0043]セルパラメータに基づいて、１つまたは複数のセルが１つまたは複数のＵＥにサービスするためのセル構成は、アップリンク送信とダウンリンク送信で別個であってもよく、たとえば、いくつかの例を挙げれば、第１のセルパラメータを有する第１のセルおよび第２のセルパラメータを有する第２のセルによってサービスされるデータの割合、１つまたは複数のセルパラメータ（データを含まない）に少なくとも部分的に基づいてセルにわたって送信されるべきデータの最大量、特定のセルにわたってサービスされ得る最大ビットレートもしくは最小ビットレート、セルにわたってサービスされるアプリケーションもしくはアプリケーションタイプ、セルにわたってサービスされるベアラもしくはベアラタイプ、セルにわたってサービスされるサービスデータフロー（ＳＤＦ）、識別されたセルパラメータを有するセルにわたる送信のための優先度付けルール（たとえば、ある一定のレートまでは第１のセルにわたって送信し、残りのトラフィック（もしあれば）を第２のセルにわたって送信する）、（たとえば、ＱｏＳ要件に基づいた）セルによってサービスされるデータのタイプ、または各セル上で利用可能なエアインターフェースリソースの量のうちの１つまたは複数を含み得る。
【００３１】
[0044]本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００  Ｒｅｌｅａｓｅ  ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書で説明する技法は、上記のシステムおよび無線技術、ならびに他のシステムおよび無線技術に使用され得る。しかしながら、以下の説明は、例としてＬＴＥシステムについて説明し、以下の説明の大部分においてＬＴＥ用語が使用されるが、本技法はＬＴＥ適用例以外に適用可能である。
【００３２】
[0045]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３３】
[0046]本明細書および添付の特許請求の範囲において使用する「ワイヤレスワイドエリアネットワーク」または「ＷＷＡＮ」という用語は、セルラーワイヤレスネットワークを指す。ＷＷＡＮの例としては、たとえば、ＬＴＥネットワーク、ＵＭＴＳネットワーク、ＣＤＭＡ２０００ネットワーク、ＧＳＭ／ＥＤＧＥネットワーク、１ｘ／ＥＶ−ＤＯネットワークなどがある。いくつかの例では、ＷＷＡＮは「無線アクセスネットワーク」と呼ばれることがある。
【００３４】
[0047]本明細書および添付の特許請求の範囲において使用する「ワイヤレスローカルエリアネットワーク」または「ＷＬＡＮ」という用語は、非セルラーワイヤレスネットワークを指す。ＷＬＡＮの例としては、たとえば、無認可無線周波数スペクトル帯域にアクセスするための確立されたルールに従って５ＧＨｚ帯域中の無認可無線周波数スペクトル帯域を使用して送信し得るＩＥＥＥ８０２．１１（「Ｗｉ−Ｆｉ」）規格ファミリーに準拠するワイヤレスネットワークがある。
【００３５】
[0048]図１は、本開示の態様による、ワイヤレス通信システム１００の一例を概念的に示すブロック図を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５は、本明細書で使用する場合、アクセスノードと呼ばれることもある。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５は、バックホールリンク（backhaul links）１３２を通じてコアネットワーク１３０（発展型パケットコア（ＥＰＣ）とも呼ばれる）と制御情報および／またはユーザデータを通信し得る。例では、アクセスポイント１０５は、ワイヤードまたはワイヤレス通信リンクであり得るバックホールリンク１３４を介して、直接的または間接的のいずれかで、互いと通信し得る。ワイヤレス通信システム１００は、複数のキャリア（異なる周波数の波形信号）上での動作をサポートし得る。マルチキャリア送信機は、複数のキャリア上で同時に被変調信号を送信し得る。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３６】
[0049]アクセスポイント１０５は、１つまたは複数のアクセスポイントアンテナを介してＵＥ１１５とワイヤレス通信し得る。アクセスポイント１０５サイトの各々は、通信カバレージをそれぞれのカバレージエリア１１０に与え得る。いくつかの例では、アクセスポイント１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術など、異なる無線技術を利用し得る。アクセスポイント１０５は、同じまたは異なるアクセスネットワークまたは事業者展開に関連付けられ得る。同じもしくは異なるタイプのアクセスポイント１０５のカバレージエリアを含み、同じもしくは異なる無線技術を利用し、および／または、同じもしくは異なるアクセスネットワークに属する、異なるアクセスポイント１０５のカバレージエリアは重複することがある。
【００３７】
[0050]例では、ワイヤレス通信システム１００は、競合ベース無線周波数スペクトル帯域の動作モードまたは展開シナリオにおいて１つまたは複数のＬＴＥをサポートするＬＴＥ／ＬＴＥ−Ａ通信システム（またはネットワーク）であり、アクセスポイント１０５およびＵＥ１１５の間で協調した競合ベースチャネルアクセス手順を採用し得る。例では、ワイヤレス通信システム１００は、無認可または認可無線周波数スペクトル帯域およびＬＴＥ／ＬＴＥ−Ａとは異なるアクセス技術において、無認可無線周波数スペクトル帯域およびＬＴＥとは異なるアクセス技術を使用するワイヤレス通信をサポートし得る。ＬＴＥ／ＬＴＥ−Ａネットワーク通信システムでは、発展型ノードＢ（ｅノードＢまたはｅＮＢ）という用語は一般に、アクセスポイント１０５について説明するために使用され得る。ワイヤレス通信システム１００は、異なるタイプのアクセスポイントが様々な地理的領域にカバレージを与える、競合ベース無線周波数スペクトル帯域ネットワークにおける異種ＬＴＥ／ＬＴＥ−Ａ／ＬＴＥであり得る。たとえば、各アクセスポイント１０５は、通信カバレージを、マクロセル、ピコセル、フェムトセル、および／または他のタイプのセルに与え得る。ピコセル、フェムトセル、および／または他のタイプのセルなどのスモールセルは、低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、概して、比較的小さい地理的エリアをカバーすることになり、ネットワークプロバイダのサービスに加入しているＵＥ１１５による無制限アクセスを可能にし得る。また、フェムトセルは、概して、比較的小さい地理的エリア（たとえば、自宅）をカバーすることになり、無制限アクセスに加えて、フェムトセルとの関連を有するＵＥ１１５（たとえば、限定加入者グループ（ＣＳＧ：closed subscriber group）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００３８】
[0051]コアネットワーク１３０は、バックホールリンク１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通じて）直接的または間接的に互いに通信し得る。ワイヤレス通信システム１００は同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００３９】
[0052]ＵＥ１１５はワイヤレス通信システム１００全体にわたって分散され、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークなどの異なるアクセスネットワーク上で通信することが可能であり得る。
【００４０】
[0053]ワイヤレス通信システム１００に示された通信リンク１２５は、ＵＥ１１５からアクセスポイント１０５へのアップリンク（ＵＬ）送信および／またはアクセスポイント１０５からＵＥ１１５へのダウンリンク（ＤＬ）送信を含み得る。ダウンリンク送信は順方向リンク送信と呼ばれることもあり、一方、アップリンク送信は逆方向リンク送信と呼ばれることもある。ダウンリンク送信は、認可無線周波数スペクトル帯域（たとえば、ＬＴＥ）、無認可無線周波数スペクトル帯域（たとえば、競合ベース無線周波数スペクトル帯域におけるＬＴＥ）、権限付与された共有無線周波数スペクトル帯域（たとえば、ＬＴＥ−Ａ）または両方（認可無線周波数スペクトル帯域におけるＬＴＥ／無認可無線周波数スペクトル帯域におけるＬＴＥまたはＬＴＥ／ＬＴＥ−Ａ）を使用して行われ得る。同様に、アップリンク送信は、認可無線周波数スペクトル帯域（たとえば、ＬＴＥ）、無認可無線周波数スペクトル帯域（たとえば、競合ベース無線周波数スペクトル帯域におけるＬＴＥ）、権限付与された共有無線周波数スペクトル帯域（たとえば、ＬＴＥ−Ａ）または両方（認可無線周波数スペクトル帯域におけるＬＴＥ／競合ベース無線周波数スペクトル帯域におけるＬＴＥまたはＬＴＥ／ＬＴＥ−Ａ）を使用して行われ得る。
【００４１】
[0054]ワイヤレス通信システム１００のいくつかの例では、競合ベース無線周波数スペクトル帯域におけるＬＴＥのための様々な展開シナリオは、認可無線周波数スペクトル帯域におけるＬＴＥダウンリンク容量が無認可無線周波数スペクトル帯域にオフロードされ得る補助ダウンリンクモード（supplemental downlink mode）と、ＬＴＥダウンリンク容量とＬＴＥアップリンク容量の両方が認可無線周波数スペクトル帯域から無認可無線周波数スペクトル帯域にオフロードされ得るキャリアアグリゲーションモードと、基地局（たとえば、ｅＮＢ）とＵＥとの間のＬＴＥダウンリンク通信およびＬＴＥアップリンク通信が無認可無線周波数スペクトル帯域で行われ得るスタンドアロンモードとを含めてサポートされ得る。異なるモードの各々は、周波数分割複信（ＦＤＤ）または時分割複信（ＴＤＤ）に従って動作し得る。ＯＦＤＭＡ通信信号は、無認可無線周波数スペクトル帯域および／または認可無線周波数スペクトル帯域中のＬＴＥダウンリンク送信のために通信リンク１２５中で使用され得るが、一方、ＳＣ−ＦＤＭＡ通信信号は、無認可無線周波数スペクトル帯域および／または認可無線周波数スペクトル帯域中のＬＴＥアップリンク送信のために通信リンク１２５中で使用され得る。無認可無線周波数スペクトル帯域を使用する送信は、周波数帯域における１つまたは複数のキャリア周波数を使用して搬送され得る。周波数帯域は、たとえば、複数のキャリア周波数に分割され得、各キャリア周波数は同じ帯域幅または異なる帯域幅を有し得る。たとえば、各キャリア周波数は、５ＧＨｚ周波数帯域のうちの２０ＭＨｚを占有し得る。
【００４２】
[0055]いくつかの例では、上述のように、認可、無認可、および／または権限付与された共有無線周波数スペクトル帯域を使用して、ならびに／あるいは異なる無線アクセス技術（たとえば、ＬＴＥおよびＷＬＡＮ）を使用して送信しようとする事業者は、ＵＥ１１５との接続を確立し、トラフィックストリームの全部または一部分をＵＥ１１５にサービスするために使用され得るセル構成を決定し得る。いくつかの展開では、ＵＥ１１５は１次セルおよび２次セルなどの２つの異なるセルに一度にアクセスするように構成され得、異なるセルによってサービスされるトラフィックは異なるセルパラメータを有する。様々な例によれば、異なるセルにわたってサービスされるトラフィックは、異なるセルに関連付けられた異なるセルパラメータに少なくとも部分的に基づいて、アクセスポイント１０５、および／またはコアネットワーク１３０における１つまたは複数のネットワークノードによって決定され得る。異なるセルのセルパラメータは、限定はしないが、１次／２次セルもしくはセルの１次／２次セット、異なるセルが動作する周波数帯域、認可／無認可無線周波数スペクトル帯域を使用して動作するセル、認可／権限付与された共有無線周波数スペクトル帯域を使用して動作するセル、またはセルによって使用されるＲＡＴ（たとえば、Ｅ−ＵＴＲＡＮ、競合ベース無線周波数スペクトル帯域におけるＬＴＥ、ＷＬＡＮ、ＧＥＲＡＮ、ＵＴＲＡＮなど）のうちの１つまたは組合せであり得る。いくつかの例では、１つまたは複数のセル構成は、ＵＥ１１５に、ＵＥ１１５の無線ベアラに、ＵＥ１１５へのサービスデータフロー（ＳＤＦ）に、ＵＥ１１５のクラスに基づいて、または異なるセルを使用してサービスされるべきすべてのＵＥに提供され得る。
【００４３】
[0056]図２は、本開示の様々な態様による、１つまたは複数のセルにわたって１つまたは複数のＵＥにサービスするためのセル構成を決定し得る競合ベース無線周波数スペクトル帯域／ＷＬＡＮネットワークアーキテクチャ２００におけるＬＴＥ／ＬＴＥ−Ａ／ＬＴＥを示す図を示す。競合ベース無線周波数スペクトル帯域／ＷＬＡＮネットワークアーキテクチャ２００におけるＬＴＥ／ＬＴＥ−Ａ／ＬＴＥは、１つまたは複数のＵＥ２１５と、第１のセル２１０−ａと第２のセル２１０−ｂとを含み得るｅＮＢ２０５と、発展型パケットコア（ＥＰＣ）２３０と、ホーム加入者サーバ（ＨＳＳ）２２０と、事業者のＩＰサービス２２２とを含み得る。ネットワークアーキテクチャ２００は他のアクセスネットワークと相互接続し得るが、簡単のために、それらのエンティティ／インターフェースは図示していない。図示のように、ネットワーク２００はパケット交換サービスを提供するが、当業者が容易に諒解するように、本開示全体にわたって提示する様々な概念は、回線交換サービスを提供するネットワークに拡張され得る。
【００４４】
[0057]ｅＮＢ２０５は、第１のセル２１０−ａと第２のセル２１０−ｂとを含み得る。いくつかの例では、第１のセル２１０−ａおよび第２のセル２１０−ｂの各々は、Ｘ２インターフェースによって接続されたアクセスポイントであり得る。いくつかの例では、第１のセル２１０−ａおよび第２のセル２１０−ｂは、異なるＲＡＴに従って動作し、同じ物理的ロケーションにコロケートされるか、または異なるロケーションに非コロケートされ（non-collocated）得る。ＵＥ２１５は、第１のセル２１０−ａおよび第２のセル２１０−ｂへのアクセス用に構成され得る。いくつかの例では、第１のセル２１０−ａおよび第２のセル２１０−ｂはｅＮＢ２０５にコロケートされ得、第１のセル２１０−ａは認可無線周波数スペクトル帯域におけるＬＴＥアクセスを提供し得、第２のセル２１０−ｂは競合ベース無線周波数スペクトル帯域におけるＬＴＥアクセスを提供し得る。他の例では、第１のセル２１０−ａはＷＷＡＮ  ＲＡＴアクセスを提供し得、第２のセルはＷＬＡＮ  ＲＡＴアクセスを提供し得る。さらなる例では、第１のセル２１０−ａはＬＴＥアクセスを提供し得、第２のセル２１０−ｂはＬＴＥ権限付与された共有アクセス（ＡＳＡ）を提供し得る。いくつかの例において使用されるＬＴＥ  ＡＳＡは、現任のスペクトル所有者に干渉することなしに、異なる事業者が十分に利用されていないスペクトルに共有ベースでアクセスすることを可能にし得る。ここでいくつかの特定の例が列挙されるが、異なるセル２１０が動作する周波数帯域、認可／無認可／ＡＳＡ無線周波数スペクトル帯域を使用して動作するセル２１０、またはセル２１０によって使用されるＲＡＴ（たとえば、Ｅ−ＵＴＲＡＮ、競合ベース無線周波数スペクトル帯域におけるＬＴＥ、ＷＬＡＮ、ＧＥＲＡＮ、ＵＴＲＡＮなど）などの他のセルパラメータが様々な例において使用され得ることは容易に理解されよう。
【００４５】
[0058]上述のように、いくつかの例では、事業者は、各セル２１０のパラメータに基づいておよび／またはＵＥ２１５にサービスされるべきトラフィックに基づいて、ＵＥ２１５にサービスする異なるセル２１０を構成することを望み得る。たとえば、認可無線周波数スペクトル帯域にわたるある一定のデータ容量（cap）が達成されると、認可無線周波数スペクトル帯域を使用してＵＥ２１５にサービスするセル２１０（たとえば、第１のセル２１０−ａ）は、ＵＥ２１５にサービスするのを中止するように構成され得るが、一方、無認可無線周波数スペクトル帯域を使用してＵＥ２１５にサービスし得る別のセル（たとえば、第２のセル２１０−ｂ）は、ＵＥ２１５にサービスし続け得る。いくつかの例では、第２のセル２１０−ｂの存在はＥＰＣ２３０に対してトランスペアレントであり得、第１のセル２１０−ａおよび第２のセル２１０−ｂによってサービスされるすべてのトラフィックは、たとえばＳ１−Ｕインターフェースなどの単一の接続２５５上でＥＰＣ２３０と交換され得る。
【００４６】
[0059]第１のセル２１０−ａは、ＵＥ２１５に対してユーザプレーンプロトコル終端と制御プレーンプロトコル終端とを提供し得る。第１のセル２１０−ａは、ＥＰＣ２３０へのアクセスポイントをＵＥ２１５に提供し得、第１のワイヤレス接続２４０をＵＥ２１５に提供し得る。第１のセル２１０−ａは、Ｓ１−ＭＭＥインターフェース２５０によって、ＥＰＣ２３０の１つまたは複数のモビリティ管理エンティティ（ＭＭＥ）２３２に接続され得る。追加または代替として、第１のセル２１０−ａは、Ｓ１−Ｕインターフェース２５５によって、ＥＰＣ２３０の１つまたは複数のサービングゲートウェイ２３４に接続され得る。ＭＭＥ２３２は、Ｓ１１インターフェースであり得るインターフェース２６５を介して、Ｓ−ＧＷ２３４と結合され得る。Ｓ−ＧＷ２３４は、Ｓ５インターフェースであり得るインターフェース２７０を介して、１つまたは複数のパケットデータネットワーク（ＰＤＮ）ゲートウェイ（Ｐ−ＧＷ）２３６と結合され得る。ＭＭＥ２３２は、数ある機能の中でも、ベアラおよび接続管理を提供し得、Ｓ６ａインターフェースであり得るインターフェース２６０を介して、ＨＳＳ２２０とのＵＥ２１５認証情報を確認し得る。Ｐ−ＧＷ２３６は、ＩＰアドレス割振りならびに他の機能をＵＥに提供し得る。Ｐ−ＧＷ２３６は、ＳＧｉインターフェースであり得るインターフェース２７５を介して、事業者のＩＰサービス２２２に接続され得る。事業者のＩＰサービス２２２は、たとえば、インターネットと、イントラネットと、ＩＰマルチメディアサブシステム（ＩＭＳ）と、パケット交換（ＰＳ）ストリーミングサービス（ＰＳＳ）とを含み得る。
【００４７】
[0060]上記で示したように、いくつかの例では、事業者は、セルのパラメータに少なくとも部分的に基づいて、ＵＥ２１５にサービスする異なるセル２１０を構成することを望み得る。いくつかの例では、Ｐ−ＧＷ２３６におけるポリシーおよび課金施行機能（ＰＣＥＦ：Policy and Charging Enforcement Function）は、ある一定のセルパラメータ（たとえば、無認可無線周波数スペクトル帯域）を有するセル２１０が利用可能であるかどうかに応じて、ＵＥ２１５のために確立されたベアラに対して異なるポリシーを施行するように構成され得る。たとえば、Ｐ−ＧＷ２３６は、認可無線周波数スペクトル帯域を使用する第１のセルにわたるある一定のデータ容量に達すると、ＵＥ２１５が競合ベース無線周波数スペクトル帯域もしくは権限付与された共有無線周波数スペクトル帯域におけるＬＴＥおよび／または異なるＲＡＴを使用し得るセル２１０に接続されるかどうかに少なくとも部分的に基づいて、ベアラを無効化するか、または第１のセルにわたってサービスされるすべての後続のダウンリンク／アップリンクトラフィックをブロックするかを決定し得る。
【００４８】
[0061]ＵＥ２１５が競合ベース無線周波数スペクトル帯域もしくは権限付与された共有無線周波数スペクトル帯域におけるＬＴＥまたは異なるＲＡＴを使用し得るセル２１０に接続される場合、Ｐ−ＧＷ２３６は、トラフィックがＵＥ２１５に続くことを可能にし得る。たとえば、Ｐ−ＧＷ２３６は、トラフィックが無認可もしくは権限付与された共有無線周波数スペクトル帯域および／または異なるＲＡＴにわたってサービスされることを命令する１つまたは複数のセル構成を第１のセル２１０−ａおよび第２のセル２１０−ｂに提供し得る。いくつかの例では、ポリシーおよび課金ルール機能（ＰＣＲＦ）は、１つまたは複数のセルパラメータ（たとえば、競合ベース無線周波数スペクトル帯域におけるＬＴＥ）を有するセル２１０がＵＥ２１５にサービスするのに利用可能であるかどうかに少なくとも部分的に基づき得るセル構成を提供し得る。ＰＣＲＦおよびＰＣＥＦは、ポリシー制御意思決定とフローベース課金制御機能とを含み得る、関係する機能エンティティである。ＰＣＲＦは、サービスデータフロー検出、ＱｏＳ、およびＰＣＥＦに対するフローベース課金制御に関するネットワーク制御を提供し得るが、ＰＣＥＦはＰ−ＧＷ２３６でのユーザトラフィック処理とＱｏＳとを提供し得る。ＰＣＥＦはまた、サービスデータフロー検出と、カウンティング（counting）と、オンラインおよびオフライン課金インタラクションとを提供し得る。
【００４９】
[0062]いくつかの例によれば、Ｐ−ＧＷ２３６は、たとえば、ベアラ有効化の一部として、セル２１０によってサービスされる各ベアラに少なくとも部分的に基づいて、セル２１０のための構成を決定し得る。追加または代替として、ＭＭＥ２３２は、たとえば、接続確立手順の一部として、セルによってサービスされる各ＵＥ２１５に少なくとも部分的に基づいて、セル２１０のための構成を決定し得る。またさらなる追加または代替の例では、ＥＰＣ２３０の複数のノードにわたって分散され得る運用、管理および保守（ＯＡＭ：Operations Administration and Maintenance）機能は、無線アクセスネットワーク（ＲＡＮ）展開に基づいてｅＮＢ２０５ごとにセル２１０のための構成を決定し得、ｅＮＢ２０５は、ＯＡＭ機能によって提供される構成に基づいてＵＥ２１５にサービスするように構成され得る。
【００５０】
[0063]図３は、本開示の態様による、無認可無線周波数スペクトル帯域におけるＬＴＥを使用するための展開シナリオの例を概念的に示すブロック図である。ワイヤレス通信システム３００は、競合ベース無線周波数スペクトル帯域におけるＬＴＥをサポートするＬＴＥネットワークにおけるｅＮＢ３０５とＵＥ３１５との間のための、補助ダウンリンクモードと、キャリアアグリゲーションモードと、スタンドアロンモードとの例を示している。ワイヤレス通信システム３００は、図１および／または図２を参照しながら説明したワイヤレス通信システム１００および／または２００の部分の一例であり得る。さらに、ｅＮＢ３０５は、図１および／または図２のアクセスポイントならびに／またはｅＮＢ１０５および／もしくは２０５のうちの１つの一例であり得るが、一方、ＵＥ３１５は、図１および／または図２を参照しながら説明したＵＥ１１５および／または２１５の例であり得る。
【００５１】
[0064]第１のセルを使用する、ワイヤレス通信システム３００における補助ダウンリンク（ＳＤＬ）モードの例では、ｅＮＢ３０５は、双方向リンク３２５を使用してＯＦＤＭＡ通信信号をＵＥ３１５に送信し得、双方向リンク３２５を使用してＳＣ−ＦＤＭＡ通信信号をそのＵＥ３１５から受信し得る。双方向リンク３２５は、認可無線周波数スペクトル帯域中の周波数に関連付けられ得る。同時に、ｅＮＢ３０５は、ダウンリンク３２０を使用してｅＮＢ３０５の第２のセルからＯＦＤＭＡ通信信号をＵＥ３１５に送信し得る。図３の例では、ダウンリンク３２０は、無認可無線周波数スペクトル帯域中の周波数に関連付けられ得る。無認可無線周波数スペクトル帯域中のダウンリンク３２０および認可無線周波数スペクトル帯域中の双方向リンク３２５は、同時に動作し得る。ダウンリンク３２０は、ダウンリンク容量のオフロードをｅＮＢ３０５に提供し得る。いくつかの例では、ダウンリンク３２０は、（たとえば、１つのＵＥに宛てられた）ユニキャストサービスのために、または（たとえば、いくつかのＵＥに宛てられた）マルチキャストサービスのために使用され得る。このシナリオは、認可無線周波数スペクトル帯域を使用しトラフィックおよび／またはシグナリング輻輳の一部を軽減する必要がある、任意のサービスプロバイダ（たとえば、従来のモバイルネットワーク事業者すなわちＭＮＯ）に対して生じ得る。上述のように、サービスプロバイダは、セルパラメータに基づいてサービスをＵＥ３１５に提供するための１つまたは複数のセルを構成し得、ｅＮＢ３０５は、そのような構成に基づいてＳＤＬモードで、いくつかのトラフィックストリーム、またはトラフィックストリームの部分をＵＥ３１５に提供するように構成され得る。
【００５２】
[0065]ワイヤレス通信システム３００におけるキャリアアグリゲーション（ＣＡ）モードの一例では、ｅＮＢ３０５に関連付けられた第１のセルは、双方向リンク３３５を使用してＯＦＤＭＡ通信信号をＵＥ３１５−ａに送信し得、双方向リンク３３５を使用してＳＣ−ＦＤＭＡ通信信号を同じＵＥ３１５−ａから受信し得る。双方向リンク３３５は、認可無線周波数スペクトル帯域中の周波数に関連付けられ得る。同時に、ｅＮＢ３０５に関連付けられた第２のセルは、双方向リンク３３０を使用してＯＦＤＭＡ通信信号をＵＥ３１５−ａに送信し得、双方向リンク３３０を使用してＳＣ−ＦＤＭＡ通信信号を同じＵＥ３１５−ａから受信し得る。図３の例では、双方向リンク３３０は、無認可無線周波数スペクトル帯域中の周波数に関連付けられ得る。双方向リンク３３０は、ダウンリンク容量およびアップリンク容量のオフロードをｅＮＢ３０５に提供し得る。上記で説明した補助ダウンリンクモードのように、このシナリオは、トラフィックおよび／またはシグナリング輻輳の一部を軽減するために認可無線周波数スペクトル帯域ニーズを使用する任意のサービスプロバイダ（たとえば、モバイルネットワーク事業者（ＭＮＯ））に対して生じ得る。上述のように、サービスプロバイダは、セルパラメータに基づいてサービスをＵＥ３１５−ａに提供するための１つまたは複数のセルを構成し得、ｅＮＢ３０５は、そのような構成に基づいてＣＡモードを使用して、いくつかのトラフィックストリーム、またはトラフィックストリームの部分をＵＥ３１５−ａに提供するように構成され得る。
【００５３】
[0066]ワイヤレス通信システム３００におけるスタンドアロン（ＳＡ）モードの一例では、ｅＮＢ３０５は、双方向リンク３４０を使用してＯＦＤＭＡ通信信号をＵＥ３１５−ｂに送信し得、無認可無線周波数スペクトル帯域中の周波数に関連付けられ得る双方向リンク３４０を使用してＳＣ−ＦＤＭＡ通信信号を同じＵＥ３１５−ｂから受信し得る。双方向リンク３４０は、ダウンリンク容量およびアップリンク容量のオフロードをｅＮＢ３０５に提供し得る。この例および上記で提供した例は、説明のために提示され、容量のオフロードのために認可無線周波数スペクトル帯域におけるＬＴＥと競合ベース無線周波数スペクトル帯域におけるＬＴＥとを組み合わせる他の同様の動作モードまたは展開シナリオが存在し得る。上述のように、サービスプロバイダは、セルパラメータに基づいてサービスをＵＥ３１５−ｂに提供するための１つまたは複数のセルを構成し得、ｅＮＢ３０５は、そのような構成に基づいてＳＡモードを使用して、いくつかのトラフィックストリーム、またはトラフィックストリームの部分をＵＥ３１５−ｂに提供するように構成され得る。
【００５４】
[0067]上記で説明したように、無認可無線周波数スペクトル帯域を使用することによって提供される容量のオフロードから恩恵を受け得るサービスプロバイダは、認可無線周波数スペクトル帯域を用いる従来のＭＮＯであり得る。これらのサービスプロバイダにとって、運用上の構成は、認可無線周波数スペクトル帯域上の１次コンポーネントキャリア（ＰＣＣ）と無認可無線周波数スペクトル帯域上の２次コンポーネントキャリア（ＳＣＣ）とを使用するブートストラップモード（たとえば、補助ダウンリンク、キャリアアグリゲーション）を含み得る。
【００５５】
[0068]ＳＤＬモードでは、競合ベース無線周波数スペクトル帯域におけるＬＴＥのための制御は、認可無線周波数スペクトル帯域中でＬＴＥアップリンク（たとえば、双方向リンク３２５のアップリンク部分）を介してトランスポートされ得る。ダウンリンク容量のオフロードを与える理由の１つは、データ需要が大部分はダウンリンク消費によって引き起こされ得るからである。さらに、このモードでは、ＵＥ３１５が無認可無線周波数スペクトル帯域中で送信していないので、規制上の影響が低減することがある。ＣＡモードでは、データおよびシグナリングデータ（たとえば、ＲＲＣデータ、ＮＡＳシグナリングデータ、および制御チャネル物理シグナリングトラフィック）は、認可無線周波数スペクトル帯域を使用するＬＴＥ（たとえば、双方向リンク３３５）において通信され得るが、一方、データは競合ベース無線周波数スペクトル帯域（たとえば、双方向リンク３３０）におけるＬＴＥを使用して通信され得る。競合ベース無線周波数スペクトル帯域におけるＬＴＥを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００５６】
[0069]上記で説明したように、セル構成は様々なセルパラメータのうちの１つまたは複数に基づいて決定され得る。図４は、本開示の様々な態様による、１つまたは複数のＵＥに対するセル構成およびトラフィックのサービスの方法４００の一例を概念的に示すフローチャートである。方法４００について、図１、図２および／または図３を参照しながら説明した、アクセスノードならびに／またはｅＮＢ１０５、２０５および／もしくは３０５ならびに／またはコアネットワーク１３０、ＥＰＣ２３０（たとえば、Ｓ−ＧＷ２３４および／またはＰ−ＧＷ２３６）の態様のうちの１つを参照しながら説明する。例では、アクセスノードまたはコアネットワーク要素は、以下で説明する機能を実行するために、デバイスの機能要素を制御するためのコードの１つまたは複数のセットを実行し得る。ブロック４０５において、複数のセルの各々に関連付けられた１つまたは複数のパラメータが識別される。パラメータは、たとえば、多数の、１次／２次セルもしくはセルの１次／２次セット、異なるセルが動作する周波数帯域、認可／無認可無線周波数スペクトル帯域を使用して動作するセル、認可／権限付与された共有無線周波数スペクトル帯域を使用して動作するセル、またはセルによって使用されるＲＡＴ（たとえば、Ｅ−ＵＴＲＡＮ、競合ベース無線周波数スペクトル帯域におけるＬＴＥ、ＷＬＡＮ、ＧＥＲＡＮ、ＵＴＲＡＮなど）のうちの１つまたは組合せを含み得る。
【００５７】
[0070]ブロック４１０において、識別されたセルパラメータに基づいて、ＵＥにサービスするための１つまたは複数のセル構成が識別される。セルパラメータに基づいて、１つまたは複数のセルが１つまたは複数のＵＥにサービスするためのセル構成は、アップリンク送信とダウンリンク送信で別個であってもよく、たとえば、いくつかの例を挙げれば、第１のセルパラメータを有する第１のセルおよび第２のセルパラメータを有する第２のセルによってサービスされるデータの割合、１つまたは複数のセルパラメータ（データを含まない）に少なくとも部分的に基づいてセルにわたって送信されるべきデータの最大量、セルにわたってサービスされ得る最大ビットレートもしくは最小ビットレート、セルにわたってサービスされるアプリケーションもしくはアプリケーションタイプ、セルにわたってサービスされるベアラもしくはベアラタイプ、セルにわたってサービスされるサービスデータフロー（ＳＤＦ）、識別されたセルパラメータを有するセルにわたる送信のための優先度付けルール（たとえば、ある一定のレートまでは第１のセルにわたって送信し、残りのトラフィック（もしあれば）をセル２にわたって送信する）、（たとえば、ＱｏＳ要件に基づいた）セルによってサービスされるデータのタイプ、または各セル上で利用可能なエアインターフェースリソースの量のうちの１つまたは複数を含み得る。
【００５８】
[0071]ブロック４１５において、識別されたセル構成に基づいて、ＵＥにサービスするために２つ以上のセルが必要とされるかどうかが決定される。ＵＥにサービスするために２つ以上のセルが必要とされない場合、ブロック４２０に示すように、ＵＥ、ＵＥにサービスするためのセル間で接続が確立される。ブロック４３０において、トラフィックストリームがＵＥにサービスされる。ブロック４１５において、識別されたセル構成に基づいてＵＥにサービスするために２つ以上のセルが必要とされると決定された場合、ブロック４３０に示すように、ＵＥとＵＥにサービスするために使用されるべき各セルとの間で接続が確立される。ブロック４３５において、トラフィックストリームの異なる部分は、識別されたセル構成に少なくとも部分的に基づいて、異なるセルにわたってＵＥにサービスされる。
【００５９】
[0072]上述のように、いくつかの例では、図２のＰ−ＧＷ２３６などのＰ−ＧＷは、たとえば、図２のセル２１０−ａおよび／またはセル２１０−ｂ、および／または、たとえば、図１、図２、および／または図３のアクセスポイントならびに／またはｅＮＢ１０５、２０５、および／もしくは３０５に関連付けられたセルなど、サービングセルの１つまたは複数のセルパラメータに基づいてベアラごとの構成を提供し得る。Ｐ−ＧＷは、発展型パケットシステム（ＥＰＳ）ベアラごとにそのような構成を提供し得る。いくつかの例では、Ｐ−ＧＷは、サービスデータフロー（ＳＤＦ）ごとにそのような構成を提供し得る。いくつかの例によれば、Ｐ−ＧＷは、デフォルトＥＰＳベアラ有効化および／または修正の間に構成を提供し得る。別の例では、Ｐ−ＧＷは、専用ＥＰＳベアラ有効化および／または修正の間に構成を提供し得る。
【００６０】
[0073]図５は、本開示の態様による、デフォルトＥＰＳベアラ有効化の間のセル構成のための例示的な動作を示す流れ図５００である。デフォルトベアラ有効化手順は、ＭＭＥ５３２へのＰＤＮ接続性要求５２５を介して、ＵＥ５１５によって有効化され得る。そのようなＰＤＮ接続性要求は、スタンドアロンまたはアタッチ手順の間にアタッチ要求メッセージ中にピギーバックされる（piggybacked）のいずれか得る。ＵＥ５１５は、たとえば、図１、図２および／または図３のＵＥ１１５、２１５および／または３１５の一例であり得る。ＭＭＥは、たとえば、図２のＭＭＥ２３２の一例であり得る。
【００６１】
[0074]ＭＭＥ５３２は、セッション作成要求５３０を、たとえば、図２のＳ−ＧＷ２３４の一例であり得るＳ−ＧＷ５３４に転送する。次いで、１つまたは複数のセル構成は動作５３５において決定され得る。Ｓ−ＧＷ５３４は、セッション作成要求５４０を、たとえば、図２のＰ−ＧＷ２３６の一例であり得るＰ−ＧＷ５３６に転送する。インターネットプロトコル接続性アクセスネットワーク（ＩＰ−ＣＡＮ：Internet Protocol Connectivity Access Network）セッション５４５が確立され、その間にＰ−ＧＷ５３６は、利用可能な場合、デフォルトベアラのための１つまたは複数の何らかのセルパラメータ固有のポリシーをＰＣＲＦ５１８から受信し得る。そのようなセルパラメータ固有のポリシーは、たとえば、セルパラメータに基づいた１つまたは複数のセルとの接続確立のための１つまたは複数のポリシーを含み得る。そのようなパラメータは、上記で説明したような、たとえば、多数の、セルが１次／２次セルであるかどうか、異なるａセルが動作する周波数帯域、認可／無認可無線周波数スペクトル帯域を使用してセルが動作するかどうか、セルが認可／権限付与された共有無線周波数スペクトル帯域を使用して動作するかどうか、またはセルのＲＡＴ（たとえば、Ｅ−ＵＴＲＡＮ、競合ベース無線周波数スペクトル帯域におけるＬＴＥ、ＷＬＡＮ、ＧＥＲＡＮ、ＵＴＲＡＮなど）のうちの１つまたは組合せを含み得る。
【００６２】
[0075]次いで、Ｐ−ＧＷ５３６は、各異なるセルの異なるセルパラメータに少なくとも部分的に基づいて、異なるセルのための１つまたは複数のセル構成を決定し、Ｓ−ＧＷ５３４へのセッション作成応答５５０中に１つまたは複数のセル構成を含み得る。いくつかの例では、新しい情報要素（ＩＥ）は、１つまたは複数のセル構成の情報を含み得るセッション作成応答５５０とともに含まれ得る。そのようなセル構成は、ダウンリンクとアップリンクとでは別々に決定され得、たとえば、認可無線周波数スペクトル帯域にわたって送信されるバイト（bytes）と比較して無認可無線周波数スペクトル帯域または権限付与された共有アクセス（ＡＳＡ）無線周波数スペクトル帯域にわたって送信されるバイトの所望の割合（無認可無線周波数スペクトル帯域のみにわたってサービスされるトラフィックおよび認可無線周波数スペクトル帯域のみにわたってサービスされるトラフィックの場合を含み得る）、認可無線周波数スペクトル帯域にわたって送信されるべきバイトの最大量、特定のパラメータを有するセルにわたってサービスされ得る最大ビットレートもしくは最小ビットレート、セルにわたってサービスされるアプリケーションもしくはアプリケーションタイプ、セルにわたってサービスされるベアラもしくはベアラタイプ、セルにわたってサービスされるサービスデータフロー（ＳＤＦ）、識別されたセルパラメータを有するセルにわたる送信のための優先度付けルール（たとえば、ある一定のレートまでは第１のセルにわたって送信し、残りのトラフィック（もしあれば）をセル２にわたって送信する）、（たとえば、ＱｏＳ要件に基づいた）セルによってサービスされるデータのタイプ、またはセル上で利用可能なエアインターフェースリソースの量を含み得る。
【００６３】
[0076]第１のダウンリンクデータ５５５はまた、Ｐ−ＧＷ５３６からＳ−ＧＷ５３４に提供され得る。Ｓ−ＧＷ５３４は、セッション作成応答メッセージ５６０中の１つまたは複数の構成をＭＭＥ５３２に転送し得る。次いで、ＭＭＥ５３２は、ベアラセットアップ要求メッセージ５６５中の１つまたは複数のセル構成をｅＮＢ５０５に転送し得る。ｅＮＢ５０５は、たとえば、図１、図２および／または図３のアクセスノードまたはｅＮＢ１０５、２０５および／もしくは３０５の一例であり得る。次いで、ｅＮＢ５０５は、ベアラがどのようにサービスされるかを決定するために１つまたは複数のセル構成を使用し得る。たとえば、ベアラがＷＬＡＮ  ＲＡＴ上で禁止される場合、ｅＮＢ５０５は、ＷＬＡＮが許可するベアラがなければ、ＵＥ５１５のためのＷＬＡＮインターワーキングを開始しないことがある。別の例では、ＷＬＡＮ  ＲＡＴが許可される場合、ｅＮＢ５０５はＷＬＡＮインターワーキングを開始してもよい。ｅＮＢ５０５によるベアラセットアップの後、５７０に示す図５のＥＰＳベアラ有効化のステップは、ＵＥ５１５、ｅＮＢ５０５、ＭＭＥ５３２、Ｓ−ＧＷ５３４、Ｐ−ＧＷ５３６、および（たとえば、図２のＨＳＳ２２０の一例であり得る）ＨＳＳ５２０のうちの１つまたは複数の間で転送される、確立されたＥＰＳベアラ有効化メッセージに対応する。いくつかの例では、上述のように、セル構成はアップリンク送信とダウンリンク送信とでは別々に決定され得、Ｐ−ＧＷ５３６は、各異なるセルの異なるセルパラメータに少なくとも部分的に基づいて、アップリンク送信およびダウンリンク通信のための１つまたは複数のセル構成を決定し得る。いくつかの例では、Ｐ−ＧＷ５３６は、ベアラ修正要求５７５に対してセル構成応答を調整し得る。
【００６４】
[0077]図６は、本開示の態様による、専用ＥＰＳベアラ有効化の間のセル構成のための例示的な動作を示す別の流れ図６００である。図５のＰＣＲＦ５１８の一例であり得るＰＣＲＦ６１８は、たとえば、ＩＰ−ＣＡＮセッション修正６２５とともに、専用ベアラのためのセルパラメータ固有のポリシーをＰ−ＧＷ６３６に提供し得る。Ｐ−ＧＷ６３６は、たとえば、図２および／または図５のＰ−ＧＷ２３６および／または５３６の一例であり得る。次いで、Ｐ−ＧＷ６３６は、１つまたは複数のセル構成を決定し、Ｓ−ＧＷ６３４へのベアラ作成要求６３０中に１つまたは複数のセル構成を含み得る。Ｓ−ＧＷ６３４は、たとえば、図２および／または図５のＳ−ＧＷ２３４および／または５３４の一例であり得る。いくつかの例では、新しい情報要素（ＩＥ）は、１つまたは複数のセル構成の情報を含み得るベアラ作成要求６３０とともに含まれ得る。
【００６５】
[0078]上記で説明したのと同様に、１つまたは複数のセル構成は、ダウンリンクとアップリンクとでは別々に決定され得、たとえば、認可無線周波数スペクトル帯域にわたって送信されるバイトと比較して無認可無線周波数スペクトル帯域または権限付与された共有アクセス無線周波数スペクトル帯域にわたって送信されるバイトの所望の割合（無認可無線周波数スペクトル帯域のみにわたってサービスされるトラフィックおよび認可無線周波数スペクトル帯域のみにわたってサービスされるトラフィックの場合を含み得る）、認可無線周波数スペクトル帯域にわたって送信されるべきバイトの最大量、特定のパラメータを有するセルにわたってサービスされ得る最大ビットレートもしくは最小ビットレート、セルにわたってサービスされるアプリケーションもしくはアプリケーションタイプ、セルにわたってサービスされるベアラもしくはベアラタイプ、セルにわたってサービスされるサービスデータフロー（ＳＤＦ）、識別されたセルパラメータを有するセルにわたる送信のための優先度付けルール（たとえば、ある一定のレートまでは第１のセルにわたって送信し、残りのトラフィック（もしあれば）をセル２にわたって送信する）、（たとえば、ＱｏＳ要件に基づいた）セルによってサービスされるデータのタイプ、またはセル上で利用可能なエアインターフェースリソースの量を含み得る。
【００６６】
[0079]次いで、Ｓ−ＧＷ６３４は、ベアラ作成要求メッセージ６３５中の１つまたは複数のセル構成をＭＭＥ６３２に転送し得る。ＭＭＥ６３２は、たとえば、図２および／または図５のＭＭＥ２３２および／または５３２の一例であり得る。次いで、ＭＭＥ６３２は、たとえば、制御プレーンシグナリングを介して、ベアラセットアップ要求メッセージ６４０中の１つまたは複数のセル構成をｅＮＢ６０５に転送し得る。ｅＮＢ６０５は、たとえば、図１、図２、図３および／または図５のアクセスノードまたはｅＮＢ１０５、２０５、３０５および／もしくは５０５の一例であり得る。次いで、ｅＮＢ６０５は、ＵＥ６１５に対してベアラがどのようにサービスされるかを決定するために１つまたは複数のセル構成を使用し得る。ＵＥ６１５は、図１、図２、図３および／または図５のＵＥ１１５、２１５、３１５および／または５１５の一例であり得る。たとえば、ベアラがＷＬＡＮ  ＲＡＴ上で禁止される場合、ｅＮＢ６０５は、ＷＬＡＮが許可するベアラがなければ、ＵＥ６１５のためのＷＬＡＮインターワーキングを開始しないことがある。別の例では、ＷＬＡＮ  ＲＡＴが許可される場合、ｅＮＢ６０５はＷＬＡＮインターワーキングを開始してもよい。ｅＮＢ６０５によるベアラセットアップの後、６４５に示す図６のＥＰＳベアラ有効化のステップは、ＵＥ６１５、ｅＮＢ６０５、ＭＭＥ６３２、Ｓ−ＧＷ６３４、Ｐ−ＧＷ６３６、およびＰＣＲＦ６１８のうちの１つまたは複数の間で転送される、確立されたＥＰＳベアラ有効化メッセージに対応する。
【００６７】
[0080]図７は、本開示の態様による、ＥＰＳベアラ修正の間のセル構成のための例示的な動作を示す別の流れ図７００である。ネットワーク主導型ＥＰＳベアラ修正のための現在定義されているトリガに加えて、いくつかの例では、ネットワークは、セルパラメータに関するポリシーまたは条件の変更によりＥＰＳベアラ修正手順を開始し得る。たとえば、図１、図２、図３、図５および／または図６のＵＥ１１５、２１５、３１５、５１５および／または６１５の一例であり得るＵＥ７１５は、ユーザのデータプランを考えると認可無線周波数スペクトル帯域使用率の最大しきい値を達成した可能性があり、ネットワークは、無認可または権限付与された共有無線周波数スペクトル帯域のみが使用され得ることをｅＮＢ７０５に示すために、この手順をトリガし得る。ｅＮＢ７０５は、たとえば、図１、図２、図３、図５および／または図６のアクセスノードまたはｅＮＢ１０５、２０５、３０５、５０５および／もしくは６０５の一例であり得る。
【００６８】
[0081]図５および／または図６のＰＣＲＦ５１８および／または６１８の一例であり得るＰＣＲＦ７１８は、たとえば、ＩＰ−ＣＡＮセッション修正７２５とともに、更新されたベアラのための更新されたセルパラメータ固有のポリシーをＰ−ＧＷ７３６に提供し得る。Ｐ−ＧＷ７３６は、たとえば、図２、図５および／または図６のＰ−ＧＷ２３６、５３６および／または６３６の一例であり得る。次いで、Ｐ−ＧＷ７３６は、更新されたセルパラメータ固有のポリシーに少なくとも部分的に基づいて１つまたは複数のセル構成を決定し、Ｓ−ＧＷ７３４へのベアラ更新要求７３０中の１つまたは複数のセル構成を含み得る。Ｓ−ＧＷ７３４は、たとえば、図２、図５および／または図６のＳ−ＧＷ２３４、５３４および／または６３４の一例であり得る。いくつかの例では、新しい情報要素（ＩＥ）は、１つまたは複数のセル構成の情報を含み得るベアラ更新要求７３０とともに含まれ得る。Ｐ−ＧＷ７３６はまた、この変更についてのＵＥ７１５への何らかの指示を含み得る。
【００６９】
[0082]上記で説明したのと同様に、１つまたは複数のセル構成は、ダウンリンクとアップリンクとでは別々に決定され得、たとえば、認可無線周波数スペクトル帯域にわたって送信されるバイトと比較して無認可無線周波数スペクトル帯域または権限付与された共有アクセス無線周波数スペクトル帯域にわたって送信されるバイトの所望の割合（無認可無線周波数スペクトル帯域のみにわたってサービスされるトラフィックおよび認可無線周波数スペクトル帯域のみにわたってサービスされるトラフィックの場合を含み得る）、認可無線周波数スペクトル帯域にわたって送信されるべきバイトの最大量、特定のパラメータを有するセルにわたってサービスされ得る最大ビットレートもしくは最小ビットレート、セルにわたってサービスされるアプリケーションもしくはアプリケーションタイプ、セルにわたってサービスされるベアラもしくはベアラタイプ、セルにわたってサービスされるサービスデータフロー（ＳＤＦ）、識別されたセルパラメータを有するセルにわたる送信のための優先度付けルール（たとえば、ある一定のレートまでは第１のセルにわたって送信し、残りのトラフィック（もしあれば）をセル２にわたって送信する）、（たとえば、ＱｏＳ要件に基づいた）セルによってサービスされるデータのタイプ、またはセル上で利用可能なエアインターフェースリソースの量を含み得る。
【００７０】
[0083]次いで、Ｓ−ＧＷ７３４は、ベアラ更新要求メッセージ７３５中の１つまたは複数のセル構成をＭＭＥ７３２に転送し得る。ＭＭＥ７３２は、たとえば、図２、図５および／または図６のＭＭＥ２３２、５３２および／または６３２の一例であり得る。次いで、ＭＭＥ７３２は、たとえば、制御プレーンシグナリングを介して、ベアラ修正要求メッセージ７４０中の１つまたは複数のセル構成をｅＮＢ７０５に転送し得る。次いで、ｅＮＢ７０５は、ＵＥ７１５に対してベアラがどのようにサービスされるかを修正するために１つまたは複数のセル構成を使用し得る。たとえば、ベアラがＷＬＡＮ  ＲＡＴ上で禁止される場合、ｅＮＢ７０５は、ＷＬＡＮが許可するベアラがなければ、ＵＥ７１５のためのＷＬＡＮインターワーキングを開始しないことがある。別の例では、ＷＬＡＮ  ＲＡＴが許可される場合、ｅＮＢ７０５はＷＬＡＮインターワーキングを開始してもよい。ｅＮＢ７０５によるベアラセットアップの後、７４５に示す図７のＥＰＳベアラ有効化のステップは、ＵＥ７１５、ｅＮＢ７０５、ＭＭＥ７３２、Ｓ−ＧＷ７３４、Ｐ−ＧＷ７３６、およびＰＣＲＦ７１８のうちの１つまたは複数の間で転送される、確立されたＥＰＳベアラ有効化メッセージに対応する。
【００７１】
[0084]他の例によれば、図２、図５、図６および／または図７のＭＭＥ２３２、５３２、６３２および／または７３２などのＭＭＥは、たとえば、１つまたは複数のセル構成を提供し得る。そのような例では、ＭＭＥは１つまたは複数のセル構成をＲＡＮに提供し得る。１つまたは複数のセル構成は、ＨＳＳ（たとえば、図２および／または図５のＨＳＳ２２０および／または５２０）から受信されたサブスクリプション情報および／または構成に少なくとも部分的に基づき得る。たとえば、ＭＭＥは、各ＵＥのための１つまたは複数のセル構成を決定し得る。いくつかの例によれば、ＭＭＥは、各ＵＥのためのＭＭＥとｅＮＢとの間のＳ１−ＡＰコンテキストセットアップの間に、１つまたは複数のセル構成を提供し得る。Ｓ１−ＡＰコンテキストは、たとえば、アタッチ手順、トラッキングエリア更新手順、サービス要求手順、および／または（ターゲットｅＮＢとターゲットＭＭＥとの間で確立される）ハンドオーバ手順の間など、ＵＥがｅＮＢとの新しい接続を確立しているときにセットアップされ得る。そのような例におけるＭＭＥは、ｅＮＢに送られる初期コンテキストセットアップ要求中のセルパラメータ固有のセル構成を提供し得る。
【００７２】
[0085]図８は、本開示の態様による、ＭＭＥでのセル構成のための例示的な動作を示す流れ図８００である。そのようなセル構成は、サービス要求手順８２５を通じて確立され得る。この手順では、ＵＥ８１５はネットワークアクセス層（ＮＡＳ）サービス要求をｅＮＢ８０５に提供する。ＵＥ８１５は、たとえば、図１、図２、図３、図５、図６および／または図７のＵＥ１１５、２１５、３１５、５１５、６１５および／または７１５の一例であり得る。ｅＮＢ８０５は、たとえば、図１、図２、図３、図５、図６および／または図７のアクセスノードまたはｅＮＢ１０５、２０５、３０５、５０５、６０５および／もしくは７０５の一例であり得る。ｅＮＢ８０５は、サービス要求８３０を、たとえば、図２、図５、図６、および／または図７のＭＭＥ２３２、５３２、６３２、および／または７３２の一例であり得るＭＭＥ８３２に転送する。認証／セキュリティ８３５は、ＵＥ８１５と、ＭＭＥ８３２と、たとえば、図２および／または図５のＨＳＳ２２０および／または５２０の一例であり得るＨＳＳ８２０との間で確立される。
【００７３】
[0086]ＭＭＥ８３２は、セルパラメータに少なくとも部分的に基づいて１つまたは複数のセル構成を決定し、初期コンテキストセットアップ要求メッセージ８４０を通じて、セルパラメータ固有のセル構成をｅＮＢ８０５に提供し得る。上記で説明したのと同様に、１つまたは複数のセル構成は、ダウンリンクとアップリンクとでは別々に決定され得、たとえば、認可無線周波数スペクトル帯域にわたって送信されるバイトと比較して無認可無線周波数スペクトル帯域または権限付与された無線周波数スペクトル帯域にわたって送信されるバイトの所望の割合（無認可無線周波数スペクトル帯域のみにわたってサービスされるトラフィックおよび認可無線周波数スペクトル帯域のみにわたってサービスされるトラフィックの場合を含み得る）、認可無線周波数スペクトル帯域にわたって送信されるべきバイトの最大量、特定のセルパラメータを有するセルにわたってサービスされ得る最大ビットレートもしくは最小ビットレート、セルにわたってサービスされるアプリケーションもしくはアプリケーションタイプ、セルにわたってサービスされるベアラもしくはベアラタイプ、セルにわたってサービスされるサービスデータフロー（ＳＤＦ）、識別されたセルパラメータを有するセルにわたる送信のための優先度付けルール（たとえば、ある一定のレートまでは第１のセルにわたって送信し、残りのトラフィック（もしあれば）をセル２にわたって送信する）、（たとえば、ＱｏＳ要件に基づいた）セルによってサービスされるデータのタイプ、またはセル上で利用可能なエアインターフェースリソースの量を含み得る。次いで、ｅＮＢ８０５は、８４５に示すように、ＵＥ８１５に対してベアラがどのように確立されるかをセットアップするために１つまたは複数のセル構成を使用し得る。ｅＮＢ８０５によるベアラ確立の後、８５０に示す図８のステップは、ＵＥ８１５、ｅＮＢ８０５、ＭＭＥ８３２、Ｓ−ＧＷ８３４、Ｐ−ＧＷ８３６、ＰＣＲＦ８１８、およびＨＳＳ８２０のうちの１つまたは複数の間で転送される、確立されたＥＰＳベアラメッセージに対応する。いくつかの例では、上述のように、セル構成はアップリンク送信とダウンリンク送信とでは別々に決定され得、Ｐ−ＧＷ８３６は、各異なるセルの異なるセルパラメータに少なくとも部分的に基づいて、アップリンク通信およびダウンリンク通信のための１つまたは複数のセル構成を決定し得る。いくつかの例では、Ｐ−ＧＷ８３６は、ＩＰ−ＣＡＮセッション修正８５５に応答してセル構成を調整し得、その間にＰ−ＧＷ８３６は、利用可能な場合、修正されたベアラのための１つまたは複数の何らかのセルパラメータ固有のポリシーをＰＣＲＦ８１８から受信し得る。
【００７４】
[0087]加えて、ＭＭＥ８３２は、いくつかの例では、たとえば、異なるセルパラメータ固有のセル構成が適用される新しいエリアにＵＥ８１５がハンドオーバする場合など、接続の途中でセル構成を変更するためにＵＥコンテキスト修正手順を開始し得る。
【００７５】
[0088]他の例では、セルパラメータ固有のセル構成は、たとえば、図１のワイヤレス通信システム１００などのワイヤレス通信システムの運用、管理、および保守（ＯＡＭ）機能を介してプロビジョニングされ得る。そのような例では、セルパラメータ固有のセル構成は、ＯＡＭ機能を介してＲＡＮ中に構成され得る。そのようなルールは、いくつかの例では、任意の時点で、または上記で説明したような１つまたは複数のトリガイベントなどのいくつかのトリガ時に、ｅＮＢ中に構成され得る。上記で説明したような異なるセルのための１つまたは複数のセル構成を決定する様々な方法（たとえば、Ｐ−ＧＷ、ＭＭＥおよびＯＡＭ）は、組み合わされ、ワイヤレス通信ネットワークから離れてまたはワイヤレス通信ネットワークと一緒に動作し得る。
【００７６】
[0089]図９Ａおよび図９Ｂは、本開示の態様による、セル構成決定において使用するための、ｅＮＢまたはコアネットワーク要素などのデバイスを概念的に示すブロック図である。最初に図９Ａを参照すると、ブロック図９００は、様々な例による、セル構成決定において使用するためのデバイス９０５を示す。いくつかの例では、デバイス９０５は、図１、図２、図３、図５、図６、図７および／または図８を参照しながら説明したアクセスノードまたはｅＮＢ１０５、２０５、３０５、５０５、６０５、７０５および／もしくは８０５、ＭＭＥ２３２、５３２、６３２、７３２および／もしくは８３２、Ｓ−ＧＷ２３４、５３４、６３４、７３４および／もしくは８３４、ならびに／またはＰ−ＧＷ２３６、５３６、６３６、７３６および／もしくは８３６の１つまたは複数の態様の一例であり得る。デバイス９０５はまた、プロセッサを含み得る。デバイス９０５は、受信機モジュール９１０、セル構成決定モジュール９２０、および／または送信機モジュール９３０を含み得る。これらの構成要素の各々は互いと通信していることがある。
【００７７】
[0090]デバイス９０５の構成要素は、適用可能な機能の一部または全部をハードウェアにおいて実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令を用いて実装され得る。
【００７８】
[0091]いくつかの例では、デバイス９０５はアクセスノードの一例であり得、受信機モジュール９１０は、認可無線周波数スペクトル帯域（たとえば、認可無線周波数スペクトル帯域におけるＬＴＥ）および／または無認可無線周波数スペクトル帯域（たとえば、無認可無線周波数スペクトル帯域におけるＬＴＥ）において送信を受信するように動作可能なＲＦ受信機などの無線周波数（ＲＦ）受信機であるか、またはそれを含み得る。受信機モジュール９１０は、図１、図２、および／または図３を参照しながら説明したワイヤレス通信システムの１つまたは複数の通信リンク１２５、２４０、２４５、および／または３２０〜３４０など、認可および無認可無線周波数スペクトル帯域を含むワイヤレス通信システムの１つまたは複数の通信リンクを介して、様々なタイプのデータおよび／または制御信号（すなわち、送信）を受信するために使用され得る。いくつかの例では、デバイス９０５はコアネットワークのネットワーク要素の一例であり得、受信機モジュール９１０は、ワイヤードネットワークインターフェースを介してネットワーク通信を受信し得るネットワーク通信構成要素であるか、またはそれを含み得る。
【００７９】
[0092]いくつかの例では、デバイス９０５はアクセスノードの一例であり得、送信機モジュール９３０は、認可無線周波数スペクトル帯域および／または無認可無線周波数スペクトル帯域中で送信するように動作可能なＲＦ送信機などのＲＦ送信機であるか、またはそれを含み得る。送信機モジュール９３０は、図１、図２、および／または図３を参照しながら説明したワイヤレス通信システム１００、２００、および／または３００の１つまたは複数の通信リンク１２５、２４０、２４５、および／または３２０〜３４０など、ワイヤレス通信システムの１つまたは複数の通信リンクを介して、様々なタイプのデータおよび／または制御信号（すなわち、送信）を送信するために使用され得る。いくつかの例では、デバイス９０５はコアネットワークのネットワーク要素の一例であり得、送信機モジュール９３０は、ワイヤードネットワークインターフェースを介してネットワーク通信を送信し得るネットワーク通信構成要素であるか、またはそれを含み得る。
【００８０】
[0093]いくつかの例では、セル構成決定モジュール９２０は、たとえば、図１〜図８に関して上記で説明したようなアクセスポイントに関連付けられた１つまたは複数の異なるセルにわたってサービスされるセル構成の決定を含めて、セル構成決定手順を構成および／または実行し得る。
【００８１】
[0094]次に図９Ｂを参照すると、ブロック図９５０は、本開示の様々な態様による、ワイヤレス通信において使用するためのデバイス９５５を示す。いくつかの例では、デバイス９５５は、図１、図２、図３、図５、図６、図７、および／または図８を参照しながら説明したアクセスノードまたはｅＮＢ１０５、２０５、３０５、５０５、６０５、７０５および／もしくは８０５、ＭＭＥ２３２、５３２、６３２、７３２および／もしくは８３２、Ｓ−ＧＷ２３４、５３４、６３４、７３４、および／もしくは８３４、ならびに／またはＰ−ＧＷ２３６、５３６、６３６、７３６および／もしくは８３６の１つまたは複数の態様の一例であり得る。デバイス９５５はまた、プロセッサを含み得る。デバイス９５５は、受信機モジュール９１２、セル構成決定モジュール９２０−ａ、および／または送信機モジュール９３２を含み得る。これらの構成要素の各々は互いと通信していることがある。
【００８２】
[0095]デバイス９５５の構成要素は、適用可能な機能の一部または全部をハードウェアにおいて実行するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令を用いて実装され得る。
【００８３】
[0096]いくつかの例では、受信機モジュール９１２は、図９Ａの受信機モジュール９１０の一例であり得る。デバイス９５５がアクセスノード中に含まれる例では、受信機モジュール９１２は、認可無線周波数スペクトル帯域（たとえば、認可無線周波数スペクトル帯域におけるＬＴＥ）および／または無認可無線周波数スペクトル帯域（たとえば、無認可無線周波数スペクトル帯域におけるＬＴＥ）において送信を受信するように動作可能なＲＦ受信機などの無線周波数（ＲＦ）受信機であるか、またはそれを含み得る。ＲＦ受信機は、認可無線周波数スペクトル帯域および無認可無線周波数スペクトル帯域のための別個の受信機を含み得る。別個の受信機は、場合によっては、認可ＲＦスペクトル帯域受信機モジュール９１４および無認可ＲＦスペクトル帯域受信機モジュール９１６の形態をとり得る。認可ＲＦスペクトル帯域受信機モジュール９１４と無認可ＲＦスペクトル帯域受信機モジュール９１６とを含む受信機モジュール９１２は、図１、図２および／または図３を参照しながら説明したワイヤレス通信システム１００、２００および／または３００の１つまたは複数の通信リンクなど、認可および無認可無線周波数スペクトル帯域を含むワイヤレス通信システムの１つまたは複数の通信リンクを介して、様々なタイプのデータおよび／または制御信号（すなわち、送信）を受信するために使用され得る。
【００８４】
[0097]いくつかの例では、送信機モジュール９３２は、図９Ａの送信機モジュール９３０の一例であり得る。デバイス９５５がアクセスノード中に含まれる例では、送信機モジュール９３２は、認可無線周波数スペクトル帯域および／または無認可無線周波数スペクトル帯域において送信するように動作可能なＲＦ送信機などのＲＦ送信機であるか、またはそれを含み得る。ＲＦ送信機は、認可無線周波数スペクトル帯域および無認可無線周波数スペクトル帯域のための別個の送信機を含み得る。別個の送信機は、場合によっては、認可ＲＦスペクトル帯域送信機モジュール９３４および無認可ＲＦスペクトル帯域送信機モジュール９３６の形態をとり得る。送信機モジュール９３２は、図１、図２および／または図３を参照しながら説明したワイヤレス通信システム１００、２００および／または３００の１つまたは複数の通信リンクなど、ワイヤレス通信システムの１つまたは複数の通信リンクを介して、様々なタイプのデータおよび／または制御信号（すなわち、送信）を送信するために使用され得る。
【００８５】
[0098]セル構成決定モジュール９２０−ａは、図９Ａを参照しながら説明したセル構成決定モジュール９２０の一例であり得、第１のセルパラメータ識別モジュール９６５、第２のセルパラメータ識別モジュール９７５、および／またはセル構成モジュール９８０を含み得る。これらの構成要素の各々は互いと通信していることがある。
【００８６】
[0099]いくつかの例では、第１のセルパラメータ識別モジュール９６５は、第１のセルのセルパラメータを識別し得る。第２のセルパラメータ識別モジュール９７５は、第２のセルのセルパラメータを識別し得る。そのようなパラメータは、上記で説明したようなセルパラメータのうちの１つまたは複数であり得る。セル構成モジュール９８０は、１つまたは複数のセルのセルパラメータに少なくとも部分的に基づいて、１つまたは複数のセル構成を決定し、ＵＥのためのトラフィックストリームの部分のすべてをサービスするべき１つまたは複数のセルにセル構成を提供し得る。セル構成決定モジュール９２０−ａは、単独でまたは受信機モジュール９１２および送信機モジュール９３２とともに、たとえば、図１〜図８に関して上記で説明したような、セルパラメータおよび構成の決定を含む、セル構成決定手順の性能に関する機能を実行し得る。
【００８７】
[0100]図１０は、本開示の態様による、基地局の設計を概念的に示すブロック図１０００である。いくつかの例では、基地局１００５は、図１、図２、図３、図５、図６、図７、図８、図９Ａ、および／または図９Ｂを参照しながら説明したアクセスノードまたはデバイス１０５、２０５、３０５、５０５、６０５、７０５、８０５、９０５、および／または９５５の１つまたは複数の態様の一例であり得る。基地局１００５は、図１、図２、図３、図４、図５、図６、図７、図８、図９Ａ、および／または図９Ｂに関して説明したように、ＵＥに１つまたは複数の異なるセルによって提供されるセル構成を報告する動作についての特徴および機能のうちの少なくともいくつかを実装するように構成され得る。基地局１００５は、プロセッサモジュール１０１０、メモリモジュール１０２０、（トランシーバモジュール１０５５によって表される）少なくとも１つのトランシーバモジュール、（アンテナ１０６０によって表される）少なくとも１つのアンテナ、および／または基地局セル管理モジュール１０７０を含み得る。基地局１００５はまた、基地局通信モジュール１０３０およびネットワーク通信モジュール１０４０のうちの一方または両方を含み得る。これらの構成要素の各々は、１つまたは複数のバス１０３５を介して、直接的にまたは間接的に互いに通信していることがある。
【００８８】
[0101]メモリモジュール１０２０は、ランダムアクセスメモリ（ＲＡＭ）および／または読取り専用メモリ（ＲＯＭ）を含み得る。メモリモジュール１０２０は、実行されると、プロセッサモジュール１０１０に、１つまたは複数のセルのためのセル構成の報告のための本明細書で説明する様々な機能を実行させるように構成された命令を含む、コンピュータ可読の、コンピュータ実行可能ソフトウェア（ＳＷ）コード１０２５を記憶し得る。代替的に、ソフトウェアコード１０２５は、プロセッサモジュール１０１０によって直接的に実行可能でないことがあるが、たとえば、コンパイルされ実行されると、基地局１００５に本明細書で説明するいくつかの機能を実行させるように構成され得る。
【００８９】
[0102]プロセッサモジュール１０１０は、インテリジェントハードウェアデバイス、たとえば、中央処理ユニット（ＣＰＵ）、マイクロコントローラ、ＡＳＩＣなどを含み得る。プロセッサモジュール１０１０は、トランシーバモジュール１０５５、基地局通信モジュール１０３０、および／またはネットワーク通信モジュール１０４０を通じて受信された情報を処理し得る。プロセッサモジュール１０１０はまた、アンテナ１０６０を通じた送信のためにトランシーバモジュール１０５５に送られるべき情報、１つまたは複数の他の基地局またはｅＮＢ１００５−ａおよび１００５−ｂへの送信のために基地局通信モジュール１０３０に送られるべき情報、ならびに／あるいは、図１および／または図２を参照しながら説明したコアネットワーク１３０および／またはＥＰＣ２３０の態様の一例であり得るコアネットワーク１０４５、および／または図５、図６、図７および／または図８に関して説明したコアネットワークの他のネットワーク要素への送信のためにネットワーク通信モジュール１０４０に送られるべき情報を処理し得る。プロセッサモジュール１０１０は、単独でまたは基地局セル管理モジュール１０７０とともに、上記で説明したような、１つまたは複数のＵＥとのワイヤレス通信のために２つ以上のセルを使用する様々な態様に対処し得る。
【００９０】
[0103]トランシーバモジュール１０５５は、パケットを変調し、変調されたパケットを送信のためにアンテナ１０６０に与え、アンテナ１０６０から受信されたパケットを復調するように構成されたモデムを含み得る。トランシーバモジュール１０５５は、１つまたは複数の送信機モジュールおよび１つまたは複数の別個の受信機モジュールとして実装され得る。トランシーバモジュール１０５５は、たとえば、少なくとも１つの認可無線周波数スペクトル帯域（たとえば、認可無線周波数スペクトル帯域におけるＬＴＥ）における通信および少なくとも１つの無認可無線周波数スペクトル帯域（たとえば、無認可無線周波数スペクトル帯域におけるＬＴＥ）における通信など、１つまたは複数のＲＡＴを使用する通信をサポートし得る。トランシーバモジュール１０５５は、アンテナ１０６０を介して、たとえば、図１、図２、図３、図５、図６、図７、および／または図８を参照しながら説明したＵＥまたはデバイス１１５、２１５、３１５、５１５、６１５、７１５および／または８１５のうちの１つまたは複数と双方向に通信するように構成され得る。基地局１００５は、通常、複数のアンテナ１０６０（たとえば、アンテナアレイ）を含み得る。基地局１００５は、ネットワーク通信モジュール１０４０を通じてコアネットワーク１０４５と通信し得る。基地局１００５は、基地局通信モジュール１０３０を使用して、ｅＮＢ１００５−ａおよび１００５−ｂなどの他の基地局またはｅＮＢと通信し得る。
【００９１】
[0104]図１０のアーキテクチャによれば、基地局１００５は、通信管理モジュール１０５０をさらに含み得る。通信管理モジュール１０５０は、他のアクセスノード、基地局、および／またはデバイスとの通信を管理し得る。通信管理モジュール１０５０は、１つまたは複数のバス１０３５を介して、基地局１００５の他の構成要素の一部または全部と通信していることがある。代替的に、通信管理モジュール１０５０の機能は、トランシーバモジュール１０５５の構成要素として、コンピュータプログラム製品として、および／またはプロセッサモジュール１０１０の１つまたは複数のコントローラ要素として実装され得る。
【００９２】
[0105]基地局セル管理モジュール１０７０は、図１、図２、図３、図４、図５、図６、図７、図８、図９Ａ、および／または図９Ｂを参照しながら説明したセルパラメータ決定およびセル構成機能または態様の一部または全部を実行および／または制御するように構成され得る。基地局セル管理モジュール１０７０は、ＬＴＥ通信に対処するように構成されたＬＴＥモジュール１０７５、競合ベース無線周波数スペクトル帯域通信におけるＬＴＥに対処するように構成されたＬＴＥ無認可モジュール１０８０、および／または競合ベース無線周波数スペクトル帯域におけるＬＴＥ以外の通信（たとえば、ＷＬＡＮにおけるＷｉ−Ｆｉ通信）に対処するように構成された無認可モジュール１０８５を含み得る。基地局セル管理モジュール１０７０はまた、たとえば、図１、図２、図３、図４、図５、図６、図７、図８、図９Ａ、および／または図９Ｂを参照しながら説明したセルパラメータ決定とセル構成決定とをサポートする機能のいずれかを提供するように構成されたセル構成モジュール１０９０を含み得る。セル構成モジュール１０９０は、図９Ａおよび／または図９Ｂを参照しながら説明した同様のモジュール（たとえば、モジュール９２０および／またはモジュール９２０−ａ）の一例であり得る。基地局セル管理モジュール１０７０またはそれの部分は、プロセッサを含み得、ならびに／あるいは基地局セル管理モジュール１０７０の機能の一部または全部は、プロセッサモジュール１０１０によっておよび／またはプロセッサモジュール１０１０に関連して実行され得る。
【００９３】
[0106]図１１は、本開示の態様による、コアネットワークにおけるノードの設計を概念的に示すブロック図１１００である。ノード１１０２は、本開示の態様による、ＭＭＥ２３２、５３２、６３２、７３２、８３２、Ｓ−ＧＷ２３４、５３４、６３４、７３４、８３４あるいはＰ−ＧＷ２３６、５４６、６３６、７３６、および／または８３６の一例であり得る。ノード１１０２は、図１、図２、図３、図４、図５、図６、図７、図８、図９Ａ、図９Ｂ、および／または図１０に関して説明したように、ＵＥにサービスするための１つまたは複数の異なるセルに提供されるセルパラメータおよび構成決定に関する動作についての特徴および機能のうちの少なくともいくつかを実装するように構成され得る。ノード１１０２は、図１、図２、図３、図５、図６、図７、図８、図９Ａ、図９Ｂ、および／または図１０を参照しながら説明したｅＮＢまたはデバイス１０５、２０５、３０５、５０５、６０５、７０５、８０５、９０５、９５５および／または１００５のうちの１つまたは複数と通信するように構成され得る。
【００９４】
[0107]ノード１１０２は、プロセッサモジュール１１１０と、メモリモジュール１１２０と、通信管理モジュール１１３０と、セル構成モジュール１１４０と、ネットワーク通信モジュール１１７０とを含み得る。これらの構成要素の各々は、１つまたは複数のバス１１３５を介して、直接的または間接的に互いに通信していることがある。
【００９５】
[0108]メモリモジュール１１２０は、ＲＡＭおよび／またはＲＯＭを含み得る。メモリモジュール１１２０は、実行されると、プロセッサモジュール１１１０に、１つまたは複数の異なるセルによってＵＥに提供されるセル構成に関する本明細書で説明する様々な機能を実行させるように構成された命令を含む、コンピュータ可読の、コンピュータ実行可能ソフトウェア（ＳＷ）コード１１２５を記憶し得る。代替的に、ソフトウェアコード１１２５は、プロセッサモジュール１１１０によって直接的に実行可能でないことがあるが、ＵＥに（たとえば、コンパイルされ実行されると）本明細書で説明するいくつかのノード１１０２機能を実行させるように構成され得る。
【００９６】
[0109]プロセッサモジュール１１１０は、インテリジェントハードウェアデバイス、たとえば、ＣＰＵ、マイクロコントローラ、ＡＳＩＣなどを含み得る。プロセッサモジュール１１１０は、ネットワーク通信モジュール１１７０を通じて受信された情報ならびに／あるいはｅＮＢ１１０５、ＭＭＥ１１３２、Ｓ−ＧＷ１１３４、および／またはＰ−ＧＷ１１３６などの他のネットワーク要素への情報を処理し得る。プロセッサモジュール１１１０は、単独でまたはセル構成モジュール１１４０とともに、図１、図２、図３、図４、図５、図６、図７、図８、図９Ａ、図９Ｂ、および／または図１０を参照しながら説明したセルパラメータ決定および／またはセル構成決定に関する動作の様々な態様に対処し得る。
【００９７】
[0110]通信管理モジュール１１３０は、ｅＮＢ１１０５、ＭＭＥ１１３２、Ｓ−ＧＷ１１３４、および／またはＰ−ＧＷ１１３６などの他のネットワーク要素との通信を管理し得る。通信管理モジュール１１３０は、１つまたは複数のバス１１３５を介して、ノード１１０２の他の構成要素の一部または全部と通信していることがある。代替的に、通信管理モジュール１１３０の機能は、ネットワーク通信モジュール１１７０の構成要素として、コンピュータプログラム製品として、および／またはプロセッサモジュール１１１０の１つまたは複数のコントローラ要素として実装され得る。
【００９８】
[0111]セル構成モジュール１１４０は、図１、図２、図３、図４、図５、図６、図７、図８、図９Ａ、図９Ｂ、および／または図１０で説明したセルパラメータ決定およびセル構成決定機能または態様の一部または全部を実行および／または制御するように構成され得る。たとえば、セル構成モジュール１１４０は、セルパラメータ情報を受信し、セルパラメータ情報に基づいてセル構成情報を生成するように構成され得る。セル構成モジュール１１４０は、図９Ａおよび／または図９Ｂを参照しながら説明した同様のモジュール（たとえば、モジュール９２０および／またはモジュール９２０−ａ）の一例であり得る。セル構成モジュール１１４０またはそれの部分は、プロセッサを含み得、ならびに／あるいはセル構成モジュール１１４０の機能の一部または全部は、プロセッサモジュール１１１０によっておよび／またはプロセッサモジュール１１１０に関連して実行され得る。
【００９９】
[0112]図１２は、本開示の態様による、ワイヤレス通信の方法１２００の一例を概念的に示すフローチャートである。明快のために、方法１２００について、図１のコアネットワーク１３０および／または図２のＥＰＣ２３０におけるノードなど、ネットワークノードのうちの１つを参照しながら以下で説明する。そのようなノードは、たとえば、図２、図５、図６、図７、図８、図９Ａ、図９Ｂ、および／または図１１を参照しながら説明したデバイス２３２、２３４、２３６、５３２、５３４、５３６、６３２、６３４、６３６、７３２、７３４、７３６、８３２、８３４、８３６、９２０、９２０−ａ、および／または１１０２のうちの１つまたは複数を含み得る。一例では、ネットワークノードまたはデバイスは、以下で説明する機能を実行するために、アクセスノードまたはデバイスの機能要素を制御するためのコードの１つまたは複数のセットを実行し得る。
【０１００】
[0113]ブロック１２０５において、第１のセルに関連付けられた第１のセットのパラメータが識別される。ブロック１２０５における動作は、場合によっては、図９Ａを参照しながら説明した他の構成要素とともにセル構成決定モジュール９２０を使用して、図９Ｂを参照しながら説明した他の構成要素とともに第１のセルパラメータ識別モジュール９６５を使用して、および／または図１１を参照しながら説明した他の構成要素とともにセル構成モジュール１１４０を使用して実行され得る。
【０１０１】
[0114]ブロック１２１０において、第２のセルに関連付けられた第２のセットのパラメータが識別される。ブロック１２１０における動作は、場合によっては、図９Ａを参照しながら説明した他の構成要素とともにセル構成決定モジュール９２０を使用して、図９Ｂを参照しながら説明した他の構成要素とともに第２のセルパラメータ識別モジュール９７５を使用して、および／または図１１を参照しながら説明した他の構成要素とともにセル構成モジュール１１４０を使用して実行され得る。
【０１０２】
[0115]ブロック１２１５において、ＵＥにサービスするための第１のセルおよび第２のセルのうちの少なくとも１つの１つまたは複数のセル構成は、第１のセットのパラメータおよび第２のセットのパラメータのうちの少なくとも１つに基づいて提供される。ブロック１２１５における動作は、場合によっては、図９Ａおよび／または図９Ｂを参照しながら説明した他の構成要素とともにセル構成決定モジュール９２０および／または９２０−ａを使用して、ならびに／あるいは図１１を参照しながら説明した他の構成要素とともにセル構成モジュール１１４０を使用して実行され得る。
【０１０３】
[0116]したがって、方法１２００は、異なるセルに関連付けられたセルパラメータが、たとえば、異なるセルにおいて１つまたは複数のＵＥにサービスするための異なるセル構成を可能にするために提供され得る、ワイヤレス通信を提供し得る。方法１２００は一実装形態にすぎず、方法１２００の動作は、他の実装形態が可能であるように再構成されるかまたは別の方法で修正され得ることに留意されたい。
【０１０４】
[0117]図１３は、本開示の態様による、ワイヤレス通信の方法１３００の一例を概念的に示すフローチャートである。明快のために、方法１３００について、図１、図２、図３、図５、図６、図７、図８、図９Ａ、図９Ｂ、および／または図１０を参照しながら説明したアクセスノードまたはデバイス１０５、２０５、３０５、５０５、６０５、７０５、８０５、９０５、９５５、および／または１００５のうちの１つを参照しながら以下で説明する。一例では、アクセスノードまたはデバイスは、以下で説明する機能を実行するために、アクセスノードまたはデバイスの機能要素を制御するためのコードの１つまたは複数のセットを実行し得る。いくつかの例では、ＯＡＭ機能は、方法１３００の動作を実行するようにアクセスノードまたはデバイスを構成し得る。
【０１０５】
[0118]ブロック１３０５において、アクセスノードの第１のセルと第２のセルとを使用してＵＥにサービスするための１つまたは複数のセル構成が決定され、１つまたは複数のセル構成は、第１のセルに関連付けられた第１のセットのパラメータと第２のセルに関連付けられた第２のセットのパラメータとに少なくとも部分的に基づき得る。ブロック１３０５における動作は、場合によっては、図９Ａを参照しながら説明した他の構成要素とともにセル構成決定モジュール９２０を使用して、図９Ｂを参照しながら説明した他の構成要素とともにセル構成決定モジュール９２０−ａを使用して、および／または図１０を参照しながら説明した他の構成要素とともにセル構成モジュール１０９０を使用して実行され得る。
【０１０６】
[0119]ブロック１３１０において、ＵＥは、決定された１つまたは複数のセル構成に少なくとも部分的に基づいてサービスされる。ブロック１３１０における動作は、場合によっては、図９Ａを参照しながら説明した他の構成要素とともに受信機モジュール９１０および送信機モジュール９３０を使用して、図９Ｂを参照しながら説明した他の構成要素とともに受信機モジュール９１２および送信機モジュール９３２を使用して、ならびに／または図１０を参照しながら説明した他の構成要素とともにトランシーバモジュール１０５５およびアンテナ１０６０を使用して実行され得る。
【０１０７】
[0120]したがって、方法１３００は、異なるセルのためのセル構成が、たとえば、異なるセルを使用して異なるトラフィックストリームまたはトラフィックストリームの部分のサービングを可能にするために、１つまたは複数のＵＥにサービスするためのセルパラメータに基づいて提供され得る、ワイヤレス通信を提供し得る。方法１３００は一実装形態にすぎず、方法１３００の動作は、他の実装形態が可能であるように再構成されるかまたは別の方法で修正され得ることに留意されたい。
【０１０８】
[0121]添付の図面に関して上記に記載した発明を実施するための形態は、例示的な実施形態について説明しており、実装され得るまたは特許請求の範囲内に入る実施形態のみを表すものではない。本明細書全体にわたって使用する「例示的」という用語は、「例、事例、または例示の働きをすること」を意味し、「好ましい」または「他の実施形態よりも有利である」ことを意味しない。発明を実施するための形態は、説明した技法の理解を与えるための具体的な詳細を含む。しかしながら、これらの技法は、これらの具体的な詳細なしに実践され得る。いくつかの事例では、説明した例の概念を不明瞭にすることを回避するために、よく知られている構造およびデバイスがブロック図の形式で示されている。
【０１０９】
[0122]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１０】
[0123]本明細書の開示に関して説明した様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していてもよく、メモリは、プロセッサによって実行可能な命令を記憶する。
【０１１１】
[0124]本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用する場合、「のうちの少なくとも１つ」で終わる項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１１２】
[0125]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のコンピュータ可読プログラムコードを搬送もしくは記憶するために使用され得、汎用もしくは専用コンピュータまたは汎用もしくは専用プロセッサによってアクセスされ得る、任意の他の媒体を備えることができる。また、任意の接続がコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、ブルーレイ（登録商標）ディスク（disc）とを含み、ディスク（disk）は、通常、データを磁気的に再生し、一方、ディスク（disc）は、データをレーザーで光学的に再生する。上記の組合せもコンピュータ可読媒体の範囲内に含まれる。
【０１１３】
[0126]本開示の前述の説明は、当業者が本開示を作製または使用することを可能にするために与えられる。本開示に対する様々な修正が当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのいかなる選好も暗示または要求しない。したがって、本開示は、本明細書で説明する例および設計に限定されるべきではなく、本明細書で開示する原理および新規の特徴に一致する最も広い範囲を与えられるべきである。
以下に本願発明の当初の特許請求の範囲に記載された発明を付記する。
［Ｃ１］
ワイヤレス通信ネットワークにおけるユーザ機器（ＵＥ）のためのワイヤレスサービスを構成するための方法であって、
第１のセルに関連付けられた第１のセットのパラメータを識別することと、
第２のセルに関連付けられた第２のセットのパラメータを識別することと、
前記第１のセットのパラメータおよび前記第２のセットのパラメータのうちの少なくとも１つに基づいて、前記ＵＥにサービスするための前記第１のセルおよび前記第２のセルのうちの少なくとも１つの１つまたは複数のセル構成を提供することとを備える方法。
［Ｃ２］
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域のうちの１つまたは複数を備える、Ｃ１に記載の方法。
［Ｃ３］
前記１つまたは複数のセル構成が、前記第１のセルおよび前記第２のセルのうちのどちらが前記ＵＥにサービスすることを許可されるかを識別する、Ｃ１に記載の方法。
［Ｃ４］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、Ｃ３に記載の方法。
［Ｃ５］
前記１つまたは複数のセル構成が、
ポリシーおよび課金ルール機能（ＰＣＲＦ）、または
前記ＵＥに関連付けられたサブスクリプション情報に少なくとも部分的に基づいて識別される、Ｃ１に記載の方法。
［Ｃ６］
前記１つまたは複数のセル構成を提供することが、前記１つまたは複数のセル構成をアクセスノードに送信することを備える、Ｃ１に記載の方法。
［Ｃ７］
前記送信することが、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に行われる、Ｃ６に記載の方法。
［Ｃ８］
前記１つまたは複数のセル構成が、制御プレーンシグナリングを介して前記アクセスノードに提供される、Ｃ６に記載の方法。
［Ｃ９］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ１に記載の方法。
［Ｃ１０］
ワイヤレス通信ネットワークにおけるアクセスノードでのワイヤレス通信のための方法であって、
前記アクセスノードの第１のセルと第２のセルとを使用してユーザ機器（ＵＥ）にサービスするための１つまたは複数のセル構成を決定することと、ここにおいて、前記１つまたは複数のセル構成は、前記第１のセルに関連付けられた第１のセットのパラメータと前記第２のセルに関連付けられた第２のセットのパラメータとに少なくとも部分的に基づく、
前記決定された１つまたは複数のセル構成に少なくとも部分的に基づいて前記ＵＥにサービスすることとを備える方法。
［Ｃ１１］
前記ＵＥにサービスすることが、
前記第１のセルにわたってトラフィックストリームの第１の部分をサービスすることと、
前記第２のセルにわたって前記トラフィックストリームの第２の部分をサービスすることとを備える、Ｃ１０に記載の方法。
［Ｃ１２］
前記ＵＥにサービスすることが、
前記第１のセルにわたって前記ＵＥにサービスするかどうかを決定することと、
前記第２のセルにわたって前記ＵＥにサービスするかどうかを決定することとを備える、Ｃ１０に記載の方法。
［Ｃ１３］
前記第１のセルまたは前記第２のセルにわたって前記ＵＥにサービスするかどうかを決定することが、
前記第１のセルおよび前記第２のセルの各々との接続を確立するよう前記ＵＥに命令すること、または
前記第１のセルまたは前記第２のセルへのアクセスが利用可能であるかどうかを決定するよう前記ＵＥに命令することのうちの１つまたは複数を備える、Ｃ１２に記載の方法。
［Ｃ１４］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を備える、Ｃ１０に記載の方法。
［Ｃ１５］
前記１つまたは複数のセル構成を受信することをさらに備え、ここにおいて、前記１つまたは複数のセル構成が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に第１のネットワークノードから受信される、Ｃ１０に記載の方法。
［Ｃ１６］
前記１つまたは複数のセル構成を受信することが、前記ＵＥにサービスするための前記１つまたは複数のセル構成を第２のネットワークノードから受信することを備える、Ｃ１５に記載の方法。
［Ｃ１７］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ１０に記載の方法。
［Ｃ１８］
ワイヤレス通信ネットワークにおけるユーザ機器（ＵＥ）のためのワイヤレスサービスを構成するための装置であって、
第１のセルに関連付けられた第１のセットのパラメータを識別するための手段と、
第２のセルに関連付けられた第２のセットのパラメータを識別するための手段と、
前記第１のセットのパラメータおよび前記第２のセットのパラメータのうちの少なくとも１つに基づいて、前記ＵＥにサービスするための前記第１のセルおよび前記第２のセルのうちの少なくとも１つの１つまたは複数のセル構成を提供するための手段とを備える装置。
［Ｃ１９］
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域のうちの１つまたは複数を備える、Ｃ１８に記載の装置。
［Ｃ２０］
前記１つまたは複数のセル構成が、前記第１のセルおよび前記第２のセルのうちのどちらが前記ＵＥにサービスすることを許可されるかを識別する、Ｃ１８に記載の装置。
［Ｃ２１］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、Ｃ２０に記載の装置。
［Ｃ２２］
前記１つまたは複数のセル構成が、
ポリシーおよび課金ルール機能（ＰＣＲＦ）、または
前記ＵＥに関連付けられたサブスクリプション情報に少なくとも部分的に基づいて識別される、Ｃ１８に記載の装置。
［Ｃ２３］
前記１つまたは複数のセル構成を提供するための前記手段が、前記１つまたは複数のセル構成をアクセスノードに送信する、Ｃ１８に記載の装置。
［Ｃ２４］
前記送信が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に行われる、Ｃ２３に記載の装置。
［Ｃ２５］
前記１つまたは複数のセル構成が、制御プレーンシグナリングを介して前記アクセスノードに提供される、Ｃ２３に記載の装置。
［Ｃ２６］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ１８に記載の装置。
［Ｃ２７］
ワイヤレス通信ネットワークにおけるアクセスノードでのワイヤレス通信のための装置であって、
前記アクセスノードの第１のセルと第２のセルとを使用してユーザ機器（ＵＥ）にサービスするための１つまたは複数のセル構成を決定するための手段と、ここにおいて、前記１つまたは複数のセル構成は、前記第１のセルに関連付けられた第１のセットのパラメータと前記第２のセルに関連付けられた第２のセットのパラメータとに少なくとも部分的に基づく、
前記決定された１つまたは複数のセル構成に少なくとも部分的に基づいて前記ＵＥにサービスするための手段とを備える装置。
［Ｃ２８］
前記ＵＥにサービスするための手段が、前記第１のセルにわたってトラフィックストリームの第１の部分をサービスし、前記第２のセルにわたって前記トラフィックストリームの第２の部分をサービスする、Ｃ２７に記載の装置。
［Ｃ２９］
前記ＵＥにサービスするための手段が、前記第１のセルにわたって前記ＵＥにサービスするかどうかを決定し、前記第２のセルにわたって前記ＵＥにサービスするかどうかを決定する、Ｃ２７に記載の装置。
［Ｃ３０］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を備える、Ｃ２７に記載の装置。
［Ｃ３１］
前記１つまたは複数のセル構成を受信するための手段をさらに備え、ここにおいて、前記１つまたは複数のセル構成が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に第１のネットワークノードから受信される、Ｃ２７に記載の装置。
［Ｃ３２］
前記１つまたは複数のセル構成を受信するための前記手段が、前記ＵＥにサービスするための前記１つまたは複数のセル構成を第２のネットワークノードから受信する、Ｃ３１に記載の装置。
［Ｃ３３］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ２７に記載の装置。
［Ｃ３４］
ワイヤレス通信ネットワークにおけるユーザ機器（ＵＥ）のためのワイヤレスサービスを構成するための装置であって、
プロセッサと、
前記プロセッサと電子通信しているメモリと、
前記メモリに記憶された命令とを備え、前記命令が、前記装置に
第１のセルに関連付けられた第１のセットのパラメータを識別させ、
第２のセルに関連付けられた第２のセットのパラメータを識別させ、
前記第１のセットのパラメータおよび前記第２のセットのパラメータのうちの少なくとも１つに基づいて、前記ＵＥにサービスするための前記第１のセルおよび前記第２のセルのうちの少なくとも１つの１つまたは複数のセル構成を提供させるように前記プロセッサによって実行可能である、装置。
［Ｃ３５］
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域のうちの１つまたは複数を備える、Ｃ３４に記載の装置。
［Ｃ３６］
前記１つまたは複数のセル構成が、前記第１のセルおよび前記第２のセルのうちのどちらが前記ＵＥにサービスすることを許可されるかを識別する、Ｃ３４に記載の装置。
［Ｃ３７］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、Ｃ３６に記載の装置。
［Ｃ３８］
前記１つまたは複数のセル構成が、
ポリシーおよび課金ルール機能（ＰＣＲＦ）、または
前記ＵＥに関連付けられたサブスクリプション情報に少なくとも部分的に基づいて識別される、Ｃ３４に記載の装置。
［Ｃ３９］
前記命令が、前記装置に前記１つまたは複数のセル構成をアクセスノードに送信させるように前記プロセッサによってさらに実行可能である、Ｃ３４に記載の装置。
［Ｃ４０］
前記送信が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に行われる、Ｃ３９に記載の装置。
［Ｃ４１］
前記１つまたは複数のセル構成が、制御プレーンシグナリングを介して前記アクセスノードに提供される、Ｃ３９に記載の装置。
［Ｃ４２］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ３４に記載の装置。
［Ｃ４３］
ワイヤレス通信ネットワークにおけるアクセスノードでのワイヤレス通信のための装置であって、
プロセッサと、
前記プロセッサと電子通信しているメモリと、
前記メモリに記憶された命令とを備え、前記命令が、前記装置に
前記アクセスノードの第１のセルと第２のセルとを使用してユーザ機器（ＵＥ）にサービスするための１つまたは複数のセル構成を決定させ、ここにおいて、前記１つまたは複数のセル構成は、前記第１のセルに関連付けられた第１のセットのパラメータと前記第２のセルに関連付けられた第２のセットのパラメータとに少なくとも部分的に基づく、
前記決定された１つまたは複数のセル構成に少なくとも部分的に基づいて前記ＵＥにサービスさせるように前記プロセッサによって実行可能である、装置。
［Ｃ４４］
前記命令が、前記装置に前記第１のセルにわたってトラフィックストリームの第１の部分をサービスさせ、前記第２のセルにわたって前記トラフィックストリームの第２の部分をサービスさせるように前記プロセッサによってさらに実行可能である、Ｃ４３に記載の装置。
［Ｃ４５］
前記命令が、前記装置に前記第１のセルにわたって前記ＵＥにサービスするかどうかを決定させ、前記第２のセルにわたって前記ＵＥにサービスするかどうかを決定させるように前記プロセッサによってさらに実行可能である、Ｃ４３に記載の装置。
［Ｃ４６］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を備える、Ｃ４３に記載の装置。
［Ｃ４７］
前記命令が、前記装置に前記１つまたは複数のセル構成を受信させるように前記プロセッサによってさらに実行可能であり、ここにおいて、前記１つまたは複数のセル構成が、  前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に第１のネットワークノードから受信される、Ｃ４３に記載の装置。
［Ｃ４８］
前記命令が、前記装置に前記ＵＥにサービスするための前記１つまたは複数のセル構成を第２のネットワークノードから受信させるように前記プロセッサによってさらに実行可能である、Ｃ４７に記載の装置。
［Ｃ４９］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ４３に記載の装置。
［Ｃ５０］
ワイヤレス通信ネットワークにおけるユーザ機器（ＵＥ）のためのワイヤレスサービスを構成するためのコンピュータ実行可能コードを記憶する非一時的コンピュータ可読媒体であって、前記コードが、
第１のセルに関連付けられた第１のセットのパラメータを識別し、
第２のセルに関連付けられた第２のセットのパラメータを識別し、
前記第１のセットのパラメータおよび前記第２のセットのパラメータのうちの少なくとも１つに基づいて、前記ＵＥにサービスするための前記第１のセルおよび前記第２のセルのうちの少なくとも１つの１つまたは複数のセル構成を提供するようにプロセッサによって実行可能である、コンピュータ可読媒体。
［Ｃ５１］
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域のうちの１つまたは複数を備える、Ｃ５０に記載のコンピュータ可読媒体。
［Ｃ５２］
前記１つまたは複数のセル構成が、前記第１のセルおよび前記第２のセルのうちのどちらが前記ＵＥにサービスすることを許可されるかを識別する、Ｃ５０に記載のコンピュータ可読媒体。
［Ｃ５３］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、Ｃ５２に記載のコンピュータ可読媒体。
［Ｃ５４］
前記１つまたは複数のセル構成が、
ポリシーおよび課金ルール機能（ＰＣＲＦ）、または
前記ＵＥに関連付けられたサブスクリプション情報に少なくとも部分的に基づいて識別される、Ｃ５０に記載のコンピュータ可読媒体。
［Ｃ５５］
前記コードが、前記１つまたは複数のセル構成をアクセスノードに送信するように前記プロセッサによってさらに実行可能である、Ｃ５０に記載のコンピュータ可読媒体。
［Ｃ５６］
前記送信が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に行われる、Ｃ５５に記載のコンピュータ可読媒体。
［Ｃ５７］
前記１つまたは複数のセル構成が、制御プレーンシグナリングを介して前記アクセスノードに提供される、Ｃ５５に記載のコンピュータ可読媒体。
［Ｃ５８］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ５０に記載のコンピュータ可読媒体。
［Ｃ５９］
ワイヤレス通信ネットワークにおけるアクセスノードでのワイヤレス通信のためのコンピュータ実行可能コードを記憶する非一時的コンピュータ可読媒体であって、前記コードが、
前記アクセスノードの第１のセルと第２のセルとを使用してユーザ機器（ＵＥ）にサービスするための１つまたは複数のセル構成を決定させ、ここにおいて、前記１つまたは複数のセル構成は、前記第１のセルに関連付けられた第１のセットのパラメータと前記第２のセルに関連付けられた第２のセットのパラメータとに少なくとも部分的に基づく、
前記決定された１つまたは複数のセル構成に少なくとも部分的に基づいて前記ＵＥにサービスさせるようにプロセッサによって実行可能である、コンピュータ可読媒体。
［Ｃ６０］
前記コードが、前記第１のセルにわたってトラフィックストリームの第１の部分をサービスし、前記第２のセルにわたって前記トラフィックストリームの第２の部分をサービスするように前記プロセッサによってさらに実行可能である、Ｃ５９に記載のコンピュータ可読媒体。
［Ｃ６１］
前記コードが、前記第１のセルにわたって前記ＵＥにサービスするかどうかを決定し、前記第２のセルにわたって前記ＵＥにサービスするかどうかを決定するように前記プロセッサによってさらに実行可能である、Ｃ５９に記載のコンピュータ可読媒体。
［Ｃ６２］
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を備える、Ｃ５９に記載のコンピュータ可読媒体。
［Ｃ６３］
前記コードが、前記１つまたは複数のセル構成を受信するように前記プロセッサによってさらに実行可能であり、ここにおいて、前記１つまたは複数のセル構成が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順のうちの１つまたは複数の間に第１のネットワークノードから受信される、Ｃ５９に記載のコンピュータ可読媒体。
［Ｃ６４］
前記コードが、前記ＵＥにサービスするための前記１つまたは複数のセル構成を第２のネットワークノードから受信するように前記プロセッサによってさらに実行可能である、Ｃ６３に記載のコンピュータ可読媒体。
［Ｃ６５］
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに提供される、Ｃ５９に記載のコンピュータ可読媒体。
【図１】
2019118145.tif 000003
【図２】
2019118145.tif 000004
【図３】
2019118145.tif 000005
【図４】
2019118145.tif 000006
【図５】
2019118145.tif 000007
【図６】
2019118145.tif 000008
【図７】
2019118145.tif 000009
【図８】
2019118145.tif 000010
【図９Ａ】
2019118145.tif 000011
【図９Ｂ】
2019118145.tif 000012
【図１０】
2019118145.tif 000013
【図１１】
2019118145.tif 000014
【図１２】
2019118145.tif 000015
【図１３】
2019118145.tif 000016
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるユーザ機器（ＵＥ）のためのワイヤレスサービスを構成するための方法であって、
第１のアクセスノードの第１のセルに関連付けられた第１のセットのパラメータを識別することと、
第２のアクセスノードの第２のセルに関連付けられた第２のセットのパラメータを識別することと、
前記ＵＥに関連付けられた少なくとも１つのベアラについての修正手順または有効化手順の一部として、前記第１のセルおよび前記第２のセルにわたって前記ＵＥにサービスするために１つまたは複数のセル構成を決定することと、ここにおいて、前記１つまたは複数のセル構成は、前記第１のセットのパラメータまたは前記第２のセットのパラメータのうちの少なくとも１つに少なくとも部分的に基づく、
前記決定することに少なくとも部分的に基づいて、前記第１のアクセスノードに前記１つまたは複数のセル構成を送信することと、
を備える方法。
【請求項２】
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域
のうちの１つまたは複数を備える、請求項１に記載の方法。
【請求項３】
前記１つまたは複数のセル構成が、前記第１のセルおよび前記第２のセルのうちのどちらが前記ＵＥにサービスすることを許可されるかを識別する、請求項１に記載の方法。
【請求項４】
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、請求項３に記載の方法。
【請求項５】
前記１つまたは複数のセル構成が、
ポリシーおよび課金ルール機能（ＰＣＲＦ）、または
前記ＵＥに関連付けられたサブスクリプション情報
に少なくとも部分的に基づいて識別される、請求項１に記載の方法。
【請求項６】
前記送信することが、
前記第１のアクセスノードと前記ＵＥとの間の接続確立手順、
前記第１のアクセスノードと前記ＵＥとの間のデフォルトベアラ有効化手順、
前記第１のアクセスノードと前記ＵＥとの間の専用ベアラ有効化手順、または
前記第１のアクセスノードと前記ＵＥとの間のパケットデータプロトコル（ＰＤＰ）コンテキスト有効化手順
のうちの１つまたは複数の間に行われる、請求項１に記載の方法。
【請求項７】
前記１つまたは複数のセル構成が、制御プレーンシグナリングを介して前記第１のアクセスノードに提供される、請求項１に記載の方法。
【請求項８】
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項１に記載の方法。
【請求項９】
ワイヤレス通信ネットワークにおけるユーザ機器（ＵＥ）のためのワイヤレスサービスを構成するための装置であって、
第１のアクセスノードの第１のセルに関連付けられた第１のセットのパラメータを識別するための手段と、
第２のアクセスノードの第２のセルに関連付けられた第２のセットのパラメータを識別するための手段と、
前記ＵＥに関連付けられた少なくとも１つのベアラについての修正手順または有効化手順の一部として、前記第１のセルおよび前記第２のセルにわたって前記ＵＥにサービスするために１つまたは複数のセル構成を決定するための手段と、ここにおいて、前記１つまたは複数のセル構成は、前記第１のセットのパラメータまたは前記第２のセットのパラメータのうちの少なくとも１つに少なくとも部分的に基づく、
前記決定することに少なくとも部分的に基づいて、前記第１のアクセスノードに前記１つまたは複数のセル構成を送信するための手段と、
を備える装置。
【請求項１０】
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域
のうちの１つまたは複数を備える、請求項９に記載の装置。
【請求項１１】
前記１つまたは複数のセル構成が、前記第１のセルおよび前記第２のセルのうちのどちらが前記ＵＥにサービスすることを許可されるかを識別する、請求項９に記載の装置。
【請求項１２】
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、請求項１１に記載の装置。
【請求項１３】
前記１つまたは複数のセル構成が、
ポリシーおよび課金ルール機能（ＰＣＲＦ）、または
前記ＵＥに関連付けられたサブスクリプション情報
に少なくとも部分的に基づいて識別される、請求項９に記載の装置。
【請求項１４】
前記送信が、
前記第１のアクセスノードと前記ＵＥとの間の接続確立手順、
前記第１のアクセスノードと前記ＵＥとの間のデフォルトベアラ有効化手順、
前記第１のアクセスノードと前記ＵＥとの間の専用ベアラ有効化手順、または
前記第１のアクセスノードと前記ＵＥとの間のパケットデータプロトコル（ＰＤＰ）コンテキスト有効化手順
のうちの１つまたは複数の間に行われる、請求項９に記載の装置。
【請求項１５】
前記１つまたは複数のセル構成が、制御プレーンシグナリングを介して前記第１のアクセスノードに提供される、請求項９に記載の装置。
【請求項１６】
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項９に記載の装置。
【請求項１７】
ワイヤレス通信ネットワークにおけるユーザ機器（ＵＥ）のためのワイヤレスサービスを構成するための装置であって、
プロセッサと、
前記プロセッサと電子通信しているメモリと、
前記メモリに記憶された命令とを備え、前記命令が、前記装置に
第１のアクセスノードの第１のセルに関連付けられた第１のセットのパラメータを識別させ、
第２のアクセスノードの第２のセルに関連付けられた第２のセットのパラメータを識別させ、
前記ＵＥに関連付けられた少なくとも１つのベアラについての修正手順または有効化手順の一部として、前記第１のセルおよび前記第２のセルにわたって前記ＵＥにサービスするために１つまたは複数のセル構成を決定させ、ここにおいて、前記１つまたは複数のセル構成は、前記第１のセットのパラメータまたは前記第２のセットのパラメータのうちの少なくとも１つに少なくとも部分的に基づく、
前記決定することに少なくとも部分的に基づいて、前記第１のアクセスノードに前記１つまたは複数のセル構成を送信させる、
ように前記プロセッサによって実行可能である、装置。
【請求項１８】
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域
のうちの１つまたは複数を備える、請求項１７に記載の装置。
【請求項１９】
前記１つまたは複数のセル構成が、前記第１のセルおよび前記第２のセルのうちのどちらが前記ＵＥにサービスすることを許可されるかを識別する、請求項１７に記載の装置。
【請求項２０】
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、請求項１９に記載の装置。
【請求項２１】
前記１つまたは複数のセル構成が、
ポリシーおよび課金ルール機能（ＰＣＲＦ）、または
前記ＵＥに関連付けられたサブスクリプション情報
に少なくとも部分的に基づいて識別される、請求項１７に記載の装置。
【請求項２２】
前記送信が、
前記第１のアクセスノードと前記ＵＥとの間の接続確立手順、
前記第１のアクセスノードと前記ＵＥとの間のデフォルトベアラ有効化手順、
前記第１のアクセスノードと前記ＵＥとの間の専用ベアラ有効化手順、または
前記第１のアクセスノードと前記ＵＥとの間のパケットデータプロトコル（ＰＤＰ）コンテキスト有効化手順
のうちの１つまたは複数の間に行われる、請求項１７に記載の装置。
【請求項２３】
前記１つまたは複数のセル構成が、制御プレーンシグナリングを介して前記第１のアクセスノードと前記第２のアクセスノードに提供される、請求項１７に記載の装置。
【請求項２４】
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項１７に記載の装置。
【請求項２５】
ワイヤレス通信ネットワークにおけるユーザ機器（ＵＥ）のためのワイヤレスサービスを構成するためのコンピュータ実行可能コードを記憶する非一時的コンピュータ可読媒体であって、前記コードが、
第１のアクセスノードの第１のセルに関連付けられた第１のセットのパラメータを識別し、
第２のアクセスノードの第２のセルに関連付けられた第２のセットのパラメータを識別し、
前記ＵＥに関連付けられた少なくとも１つのベアラについての修正手順または有効化手順の一部として、前記第１のセルおよび前記第２のセルにわたって前記ＵＥにサービスするために１つまたは複数のセル構成を決定し、ここにおいて、前記１つまたは複数のセル構成は、前記第１のセットのパラメータまたは前記第２のセットのパラメータのうちの少なくとも１つに少なくとも部分的に基づく、
前記決定することに少なくとも部分的に基づいて、前記第１のアクセスノードに前記１つまたは複数のセル構成を送信する、
ようにプロセッサによって実行可能である、非一時的コンピュータ可読媒体。
【請求項２６】
前記第１のセットのパラメータおよび前記第２のセットのパラメータの各々が、以下のセル特性、すなわち、
セルの１次セル指定もしくは２次セル指定、
セルに関連付けられた認可無線周波数スペクトル帯域もしくは無認可無線周波数スペクトル帯域、
セルに関連付けられた無線アクセス技術、または
セルの動作周波数帯域
のうちの１つまたは複数を備える、請求項２５に記載の非一時的コンピュータ可読媒体。
【請求項２７】
前記１つまたは複数のセル構成が、前記第１のセルおよび前記第２のセルのうちのどちらが前記ＵＥにサービスすることを許可されるかを識別する、請求項２５に記載の非一時的コンピュータ可読媒体。
【請求項２８】
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量のうちの１つまたは複数を識別する、請求項２７に記載の非一時的コンピュータ可読媒体。
【請求項２９】
前記１つまたは複数のセル構成が、
ポリシーおよび課金ルール機能（ＰＣＲＦ）、または
前記ＵＥに関連付けられたサブスクリプション情報
に少なくとも部分的に基づいて識別される、請求項２５に記載の非一時的コンピュータ可読媒体。
【請求項３０】
前記送信が、
前記第１のアクセスノードと前記ＵＥとの間の接続確立手順、
前記第１のアクセスノードと前記ＵＥとの間のデフォルトベアラ有効化手順、
前記第１のアクセスノードと前記ＵＥとの間の専用ベアラ有効化手順、または
前記第１のアクセスノードと前記ＵＥパケットデータプロトコル（ＰＤＰ）コンテキスト有効化手順
のうちの１つまたは複数の間に行われる、請求項２５に記載の非一時的コンピュータ可読媒体。
【請求項３１】
前記１つまたは複数のセル構成が、制御プレーンシグナリングを介して前記第１のアクセスノードに提供される、請求項２５に記載の非一時的コンピュータ可読媒体。
【請求項３２】
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項２５に記載の非一時的コンピュータ可読媒体。
【請求項３３】
前記第１のセルは、第１の無線アクセス技術（ＲＡＴ）に関連し、前記第２のセルは、前記第１のＲＡＴとは異なる第２のＲＡＴに関連する、請求項１に記載の方法。
【請求項３４】
前記第１のセルは、認可無線周波数スペクトル帯域を通じて提供され、前記第２のセルは、無認可無線周波数スペクトル帯域を通じて提供される、請求項１に記載の方法。
【請求項３５】
前記第１のセルは、第１の無線アクセス技術（ＲＡＴ）に関連し、前記第２のセルは、前記第１のＲＡＴとは異なる第２のＲＡＴに関連する、請求項９に記載の装置。
【請求項３６】
前記第１のセルは、認可無線周波数スペクトル帯域を通じて提供され、前記第２のセルは、無認可無線周波数スペクトル帯域を通じて提供される、請求項９に記載の装置。
【請求項３７】
前記第１のセルは、第１の無線アクセス技術（ＲＡＴ）に関連し、前記第２のセルは、前記第１のＲＡＴとは異なる第２のＲＡＴに関連する、請求項１７に記載の装置。
【請求項３８】
前記第１のセルは、認可無線周波数スペクトル帯域を通じて提供され、前記第２のセルは、無認可無線周波数スペクトル帯域を通じて提供される、請求項１７に記載の装置。
【請求項３９】
前記第１のセルは、第１の無線アクセス技術（ＲＡＴ）に関連し、前記第２のセルは、前記第１のＲＡＴとは異なる第２のＲＡＴに関連する、請求項２５に記載の非一時的コンピュータ可読媒体。
【請求項４０】
前記第１のセルは、認可無線周波数スペクトル帯域を通じて提供され、前記第２のセルは、無認可無線周波数スペクトル帯域を通じて提供される、請求項２５に記載の非一時的コンピュータ可読媒体。